(57)【要約】  熱交換型換気装置は、給気風路（１ｃ）における熱交換器よりも下流側に設けられて給気風路（１ｃ）を通過する室外空気である給気空気を加熱または冷却する温度調整コイル（５）と、給気風路（１ｃ）における温度調整コイル（５）よりも下流側に設けられて温度調整コイル（５）を通過した給気空気の温度である給気温度を測定する給気温度測定部と、送風部と温度調整コイル（５）との動作を制御する制御部と、を備える。制御部は、ケーシング（１ａ）から吹き出される給気空気の吹出温度の下限を規定する下限吹出温度およびケーシング（１ａ）から吹き出される給気空気の吹出温度の上限を規定する上限吹出温度と、給気温度と、の比較結果に基づいて、吹出温度を抑制するように送風部と温度調整コイル（５）とのうち少なくとも１つの動作を制御して換気を行う吹出温度抑制制御を行う。
2021028964.tif 000002
【特許請求の範囲】
【請求項１】
室内空気を室外に排気する排気風路と、室外空気を室内に給気する給気風路と、が独立して内部に形成されたケーシングと、
前記排気風路を流れる排気流を発生させる排気用送風機と、前記給気風路を流れる給気流を発生させる給気用送風機と、を有する送風部と、
前記給気流と前記排気流との間で熱交換させる熱交換器と、
前記給気風路における前記熱交換器よりも下流側に設けられて前記給気風路を通過する前記室外空気である給気空気を加熱または冷却する温度調整コイルと、
前記給気風路における前記温度調整コイルよりも下流側に設けられて前記温度調整コイルを通過した前記給気空気の温度である給気温度を測定する給気温度測定部と、
前記送風部と前記温度調整コイルとの動作を制御する制御部と、
を備え、
前記制御部は、前記ケーシングから吹き出される前記給気空気の吹出温度の下限を規定する下限吹出温度および前記ケーシングから吹き出される前記給気空気の吹出温度の上限を規定する上限吹出温度と、前記給気温度と、の比較結果に基づいて、前記吹出温度を抑制するように前記送風部と前記温度調整コイルとのうち少なくとも１つの動作を制御して換気を行う吹出温度抑制制御を行うこと、
を特徴とする熱交換型換気装置。
【請求項２】
前記制御部は、
前記温度調整コイルの暖房運転時には、前記吹出温度抑制制御を行う直前よりも前記温度調整コイルの加熱量を減少させる制御を行い、
前記温度調整コイルの冷房運転時には、前記吹出温度抑制制御を行う直前よりも前記温度調整コイルの冷却量を減少させる制御を行うこと、
を特徴とする請求項１に記載の熱交換型換気装置。
【請求項３】
前記制御部は、前記吹出温度抑制制御を行う直前よりも前記送風部の風量を増減させる制御を行うこと、
を特徴とする請求項１または２に記載の熱交換型換気装置。
【請求項４】
前記ケーシングの内部に形成され、前記熱交換器を迂回して前記排気流を室外に排気するバイパス排気風路と、
前記排気風路に設けられ、前記バイパス排気風路を開放する位置と、前記バイパス排気風路を閉塞する位置と、に移動可能なダンパと、
を備え、
前記制御部は、前記バイパス排気風路を開放する位置と、前記バイパス排気風路を閉塞する位置とのいずれかの位置に前記ダンパを移動させる制御を行うこと、
を特徴とする請求項１から３のいずれか１つに記載の熱交換型換気装置。
【請求項５】
前記制御部は、
前記温度調整コイルの暖房運転時に前記上限吹出温度と前記給気温度とを比較し、前記上限吹出温度に前記給気温度が近いほど前記温度調整コイルの加熱量を少なくし、
前記温度調整コイルの冷房運転時に前記下限吹出温度と前記給気温度とを比較し、前記下限吹出温度に前記給気温度が近いほど前記温度調整コイルの冷却量を少なくすること、
を特徴とする請求項１から４のいずれか１つに記載の熱交換型換気装置。
【請求項６】
前記制御部は、前記上限吹出温度または前記下限吹出温度に対する前記給気温度の割合に基づいて、前記温度調整コイルの加熱量または冷却量を複数段階に制御すること、
を特徴とする請求項５に記載の熱交換型換気装置。
【請求項７】
前記制御部は、前記上限吹出温度または前記下限吹出温度に対する前記給気温度の割合に基づいて、前記送風部の風量を複数段階に制御すること、
を特徴とする請求項１から６のいずれか１つに記載の熱交換型換気装置。
【請求項８】
前記給気風路における前記温度調整コイルよりも下流側に設けられて前記温度調整コイルを通過した前記給気空気を加湿する加湿器と、
前記排気風路における前記熱交換器よりも上流側に設けられて前記排気風路を通過する室内空気の温度および湿度を測定する室内温湿度測定部を備え、
前記制御部は、前記室内温湿度測定部により測定された温度および湿度に基づいて前記室内の空気環境の露点温度を算出し、前記給気温度が露点以下とならないように、前記送風部と前記温度調整コイルと前記ダンパとのうち少なくとも１つの動作を制御すること、
を特徴とする請求項４に記載の熱交換型換気装置。
【請求項９】
前記給気風路における前記温度調整コイルよりも下流側に設けられて前記温度調整コイルを通過した前記給気空気の湿度である給気湿度を測定する給気湿度測定部と、
前記排気風路における前記熱交換器よりも上流側に設けられて前記排気風路を通過する前記室内空気の湿度を測定する室内湿度測定部と、
を備え、
前記制御部は、前記温度調整コイルの暖房運転時に、前記室内湿度測定部における測定結果により得られる前記室内空気の湿度である室内湿度と、前記給気湿度とを比較し、前記給気湿度が前記室内湿度以上である場合に前記吹出温度抑制制御に移行すること、
を特徴とする請求項１から８のいずれか１つに記載の熱交換型換気装置。
【請求項１０】
前記給気風路における前記温度調整コイルよりも下流側に設けられて前記温度調整コイルを通過した前記給気空気の湿度である給気湿度を測定する給気湿度測定部と、
前記排気風路における前記熱交換器よりも上流側に設けられて前記排気風路を通過する前記室内空気の湿度を測定する室内湿度測定部と、
を備え、
前記制御部は、前記温度調整コイルの冷房運転時に、前記室内湿度測定部における測定結果により得られる前記室内空気の湿度である室内湿度と、前記給気湿度とを比較し、前記給気湿度が前記室内湿度以下である場合に前記吹出温度抑制制御に移行すること、
を特徴とする請求項１から９のいずれか１つに記載の熱交換型換気装置。
【請求項１１】
前記給気風路における前記温度調整コイルよりも下流側に設けられて前記温度調整コイルを通過した前記給気空気の湿度を測定する給気湿度測定部を備え、
前記制御部は、前記温度調整コイルの暖房運転時に、前記給気湿度測定部における測定結果により得られる前記温度調整コイルを通過した前記給気空気の湿度である給気湿度と、前記制御部に予め設定された前記室内空気の湿度の目標値である第１室内設定湿度とを比較し、前記給気湿度が前記第１室内設定湿度以上である場合に前記吹出温度抑制制御に移行すること、
を特徴とする請求項１から１０のいずれか１つに記載の熱交換型換気装置。
【請求項１２】
前記給気風路における前記温度調整コイルよりも下流側に設けられて前記温度調整コイルを通過した前記給気空気の湿度を測定する給気湿度測定部を備え、
前記制御部は、前記温度調整コイルの冷房運転時に、前記給気湿度測定部における測定結果により得られる前記温度調整コイルを通過した前記給気空気の湿度である給気湿度と、前記制御部に予め設定された前記室内空気の湿度の目標値である第２室内設定湿度とを比較し、前記給気湿度が前記第２室内設定湿度以下である場合に前記吹出温度抑制制御に移行すること、
を特徴とする請求項１から１１のいずれか１つに記載の熱交換型換気装置。
【請求項１３】
前記排気風路における前記熱交換器よりも上流側に設けられて前記排気風路を通過する前記室内空気の湿度を測定する室内湿度測定部を備え、
前記制御部は、前記温度調整コイルの暖房運転時に、前記室内湿度測定部における測定結果により得られる前記室内空気の湿度である室内湿度と、前記制御部に予め設定された前記室内空気の湿度の目標値である第３室内設定湿度とを比較し、前記室内湿度が前記第３室内設定湿度以上である場合に前記吹出温度抑制制御に移行すること、
を特徴とする請求項１から１２のいずれか１つに記載の熱交換型換気装置。
【請求項１４】
前記排気風路における前記熱交換器よりも上流側に設けられて前記排気風路を通過する前記室内空気の湿度を測定する室内湿度測定部を備え、
前記制御部は、前記温度調整コイルの冷房運転時に、前記室内湿度測定部における測定結果により得られる前記室内空気の湿度である室内湿度と、前記制御部に予め設定された前記室内空気の湿度の目標値である第４室内設定湿度とを比較し、前記室内湿度が前記第４室内設定湿度以下である場合に前記吹出温度抑制制御に移行すること、
を特徴とする請求項１から１３のいずれか１つに記載の熱交換型換気装置。
【請求項１５】
前記制御部は、前記温度調整コイルがサーモオンであるときに、前記給気温度が前記上限吹出温度より大である時間または前記下限吹出温度未満となる時間が予め決められた第１既定時間以上経過した場合に、前記温度調整コイルをサーモオフにする制御を行うこと、
を特徴とする請求項１から１４のいずれか１つに記載の熱交換型換気装置。
【請求項１６】
前記制御部は、前記給気温度が前記上限吹出温度より大である時間または前記下限吹出温度未満となる時間が予め決められた第１既定時間を超過した場合に前記温度調整コイルをサーモオフにした後、予め決められた第２既定時間以上経過した場合に前記温度調整コイルをサーモオンにする制御を行うこと、
を特徴とする請求項１５に記載の熱交換型換気装置。
【請求項１７】
前記制御部は、前記温度調整コイルがサーモオンであるときに、前記給気温度が前記上限吹出温度より大である時間または前記下限吹出温度未満となる時間が予め決められた第１既定時間以上経過するまで、前記温度調整コイルのサーモオンを継続させる制御を行うこと、
を特徴とする請求項１から１６のいずれか１つに記載の熱交換型換気装置。
【発明の詳細な説明】
【技術分野】
【０００１】
本発明は、給気風路と排気風路とを流れる気流間で熱交換を行なわせる熱交換器を備えた熱交換型換気装置に関する。
【背景技術】
【０００２】
従来、天井裏の空間に取付けられ、ダクトを介して給排気することにより室内の換気を行う換気装置が知られている。特許文献１には、室温の実測値が設定値に達したとき、圧力および吹出温度の目標値を予め定められている目標圧力および目標吹出温度に自動変更し、目標圧力および目標吹出温度に基づいて圧力および吹出温度を一定に制御するとともに、室温の実測値と設定値との差が設定温度差に達したか否かでサーモオンおよびサーモオフの制御を行う外気処理空調機が開示されている。
【先行技術文献】
【特許文献】
【０００３】
【特許文献１】特許第５６９５８６１号公報
【発明の概要】
【発明が解決しようとする課題】
【０００４】
しかしながら、特許文献１に記載の外気処理空調機は、室内空気状態の快適性を改善するために考案されたものであり、室内温度の実測値に基づいて、室内温度を調整するために設定された目標吹出温度で外気処理空調機の動作を制御している。そして、外気処理空調機から室内に吹き出される給気空気の温度である吹出温度が室内に居るユーザーにとって快適であるか不快であるかについては考慮されていない。【０００５】
このため、特許文献１に記載の外気処理空調機は、給気空気の温度が高すぎてユーザーが不快と感じる、または給気空気の温度が低すぎてユーザーが不快と感じる、といった状態が発生し得る。【０００６】
本発明は、上記に鑑みてなされたものであって、室内に給気される給気空気が室内に居るユーザーにとって快適な状態で換気が可能な熱交換型換気装置を得ることを目的とする。
【課題を解決するための手段】
【０００７】
上述した課題を解決し、目的を達成するために、本発明にかかる熱交換型換気装置は、室内空気を室外に排気する排気風路と、室外空気を室内に給気する給気風路と、が独立して内部に形成されたケーシングと、排気風路を流れる排気流を発生させる排気用送風機と、給気風路を流れる給気流を発生させる給気用送風機と、を有する送風部と、給気流と排気流との間で熱交換させる熱交換器と、を備える。また、熱交換型換気装置は、給気風路における熱交換器よりも下流側に設けられて給気風路を通過する室外空気である給気空気を加熱または冷却する温度調整コイルと、給気風路における温度調整コイルよりも下流側に設けられて温度調整コイルを通過した給気空気の温度である給気温度を測定する給気温度測定部と、送風部と温度調整コイルとの動作を制御する制御部と、を備える。制御部は、ケーシングから吹き出される給気空気の吹出温度の下限を規定する下限吹出温度およびケーシングから吹き出される給気空気の吹出温度の上限を規定する上限吹出温度と、給気温度と、の比較結果に基づいて、吹出温度を抑制するように送風部と温度調整コイルとのうち少なくとも１つの動作を制御して換気を行う吹出温度抑制制御を行う。
【発明の効果】
【０００８】
本発明にかかる熱交換型換気装置は、室内に給気される給気空気が室内に居るユーザーにとって快適な状態で換気が可能である、という効果を奏する。
【図面の簡単な説明】
【０００９】
【図１】本発明の実施の形態１にかかる熱交換型換気装置の内部構成の概略を示す模式平面図であり、ダンパが閉じた状態を示す模式図
【図２】本発明の実施の形態１にかかる熱交換型換気装置の内部構成の概略を示す模式平面図であり、ダンパが開いた状態を示す模式図
【図３】本発明の実施の形態１にかかる熱交換型換気装置の運転に関わる機能構成を示す図
【図４】本発明の実施の形態１にかかる熱交換型換気装置の吹出温度抑制運転の制御における吹出温度の不快判定の手順を示すフローチャート
【図５】本発明の実施の形態１にかかる熱交換型換気装置の吹出温度抑制運転の制御におけるサーモ判定の手順を示すフローチャート
【図６】本発明の実施の形態１にかかる熱交換型換気装置の吹出温度抑制運転の手順を示すフローチャート
【図７】本発明の実施の形態２における熱交換型換気装置の吹出温度抑制運転の手順を示すフローチャート
【図８】本発明の実施の形態３における熱交換型換気装置の運転に関わる機能構成を示す図
【図９】本発明の実施の形態３における熱交換型換気装置の吹出温度抑制運転の手順を示すフローチャート
【図１０】本発明の実施の形態４にかかる熱交換型換気装置の内部構成の概略を示す模式平面図
【図１１】本発明の実施の形態４における熱交換型換気装置の運転に関わる機能構成を示す図
【図１２】本発明の実施の形態４にかかる熱交換型換気装置の吹出温度抑制運転の手順を示すフローチャート
【図１３】本発明の実施の形態５における熱交換型換気装置の運転に関わる機能構成を示す図
【図１４】本発明の実施の形態５における熱交換型換気装置の吹出温度抑制運転の手順を示すフローチャート
【図１５】本発明の実施の形態１にかかる制御部の機能を実現するための専用のハードウェアを示す図
【図１６】本発明の実施の形態１にかかる制御部の機能を実現するための制御回路の構成を示す図
【発明を実施するための形態】
【００１０】
以下に、本発明の実施の形態にかかる熱交換型換気装置を図面に基づいて詳細に説明する。なお、この実施の形態によりこの発明が限定されるものではない。
【００１１】
実施の形態１．
図１は、本発明の実施の形態１にかかる熱交換型換気装置１００の内部構成の概略を示す模式平面図であり、ダンパ１３が閉じた状態を示す模式図である。図２は、本発明の実施の形態１にかかる熱交換型換気装置１００の内部構成の概略を示す模式平面図であり、ダンパ１３が開いた状態を示す模式図である。図３は、本発明の実施の形態１にかかる熱交換型換気装置１００の運転に関わる機能構成を示す図である。
【００１２】
熱交換型換気装置１００は、本体１と制御装置１４とリモートコントローラ１５とを備える。本体１は、装置の箱体を構成するケーシング１ａの内部に全熱交換器４を有する空気調和用の換気装置である、熱交換型換気装置である。本体１は、天井裏に隠蔽された状態で設置される。リモートコントローラ１５は、室内に設置されている。
【００１３】
ケーシング１ａは、室外側に対応する側面に排気吹出口７と給気吸込口９とが設けられ、室内側に対応する側面に給気吹出口８と排気吸込口１０とが設けられている。また、ケーシング１ａ内には、排気吸込口１０と排気吹出口７とを連通させて室内の空気を室外に排気する排気風路である熱交換排気風路１ｂと、給気吸込口９と給気吹出口８とを連通させて室外の空気を室内に給気する給気風路１ｃと、が形成されている。熱交換排気風路１ｂと給気風路１ｃとは、全経路にわたり互いに独立して設けられている。熱交換型換気装置１００では、室外空気が、室内に給気される給気空気とされる。また、室内空気が、室外に排気される排気空気とされる。
【００１４】
熱交換型換気装置１００は、給気風路１ｃおよび熱交換排気風路１ｂを流れる気流間で全熱交換を行う熱交換器である全熱交換器４を装備している。全熱交換器４は、熱交換排気風路１ｂを通過する室内空気の気流である排気流と、給気風路１ｃを通過する外気の気流である給気流との間で、連続的に熱交換を行わせるものである。全熱交換器４は、全熱交換器４の排気流を通す１次側風路と給気流を通す２次側風路とが内部において直角に交差し、１次側風路を流れる気流と２次側風路を流れる気流との間で全熱が交換され、熱交換換気を行うことができる。
【００１５】
また、ケーシング１ａ内には、熱交換排気風路１ｂと併設される排気風路であるバイパス排気風路１ｄが形成されている。バイパス排気風路１ｄは、全熱交換器４を迂回して排気吸込口１０から排気吹出口７に通じる風路であり、全熱交換器４を通さずに排気吹出口７に排気流を排出させるための風路である。排気吸込口１０から吸い込んだ室内空気の気流である排気流を熱交換排気風路１ｂに流して全熱交換器４に通すことにより、給気流と排気流との間で熱交換を伴う熱交換換気を行うことができる。一方、排気吸込口１０から吸い込んだ室内空気の気流である排気流をバイパス排気風路１ｄに流して全熱交換器４に通さないことにより、給気流と排気流との間で熱交換を伴わない普通換気を行うことができる。
【００１６】
ケーシング１ａ内には、熱交換排気風路１ｂとバイパス排気風路１ｄとが分岐する部分に、熱交換排気風路１ｂとバイパス排気風路１ｄとを切り替える風路切替ダンパである電動式のダンパ１３が設けられている。ダンパ１３は、熱交換排気風路１ｂとバイパス排気風路１ｄとの分岐点に回転軸を有し、排気吸込口１０から吸い込まれた室内空気を全熱交換器４に通すか否かを切り替えて熱交換排気風路１ｂとバイパス排気風路１ｄとを切り替える風路切替部を構成している。ダンパ１３は、例えば排気風路の内部で回転する板からなり、向きが変化することにより熱交換排気風路１ｂとバイパス排気風路１ｄとを切り替えることができる。
【００１７】
図１では、バイパス排気風路１ｄを閉塞する位置、すなわち全熱交換換気運転を行う熱交換換気位置にダンパ１３を配置して、排気風路を熱交換排気風路１ｂに切り替えた状態を示している。一方、図２に示すように、ダンパ１３によりバイパス排気風路１ｄを開放することで、室内空気を全熱交換器４に通さずに室外へ排気するバイパス換気を行うことができる。これにより、給気流と排気流との間で熱交換を伴わない普通換気を行うことができる。
【００１８】
ケーシング１ａは、給気風路１ｃに設けられ、給気吸込口９から給気吹出口８へ向かう給気流の流れを生成する給気用送風機３を備える。また、ケーシング１ａは、熱交換排気風路１ｂとバイパス排気風路１ｄとの共通部分における全熱交換器４よりも下流側の位置に設けられ、排気吸込口１０から排気吹出口７へ向かう排気流の流れを生成する排気用送風機２を備える。給気用送風機３と排気用送風機２とにより、室内空気を換気する気流を生成する送風部１７が構成されている。
【００１９】
給気用送風機３は、給気用送風機３を駆動するための不図示の給気用モーターを内部に備えている。排気用送風機２は、排気用送風機２を駆動するための不図示の排気用モーターを内部に備えている。給気用モーターと排気用モーターとは、後述する制御部２０による制御に対応して回転速度が変化する。
【００２０】
ケーシング１ａは、給気風路１ｃに設けられ、給気吹出口８から室内に供給される室外空気である給気空気の温度である給気温度および湿度を測定可能な給気温湿度測定部１６を備える。すなわち、給気温湿度測定部１６は、後述する温度調整コイル５を通過してケーシング１ａから室内に向けて吹き出される給気空気の温度および湿度を測定することができる。給気温湿度測定部１６は、温度と湿度を検出することが可能な素子により構成される。なお、給気空気の温度を測定可能な給気温度測定部と、給気空気の湿度を測定可能な給気湿度測定部と、が個別に設けられてもよい。ここで、給気吹出口８から室内に供給される室外空気である給気空気の温度である給気温度は、給気空気の吹出温度と換言できる。
【００２１】
給気風路１ｃにおける給気用送風機３よりも下流側の位置には、温度調整コイル５が配置されている。温度調整コイル５は、内部に冷媒を通して、給気風路１ｃにおける給気用送風機３よりも下流側を通過する給気流を加熱または冷却することで給気空気の温度調整を行うことが可能な熱交換器である。
【００２２】
温度調整コイル５は、後述する制御部２０によって運転が制御され、ユーザーが設定した目標温度に室内温度が到達するように、給気風路１ｃにおける全熱交換器４よりも下流側を通過する給気流の温度を調整する。すなわち、温度調整コイル５は、全熱交換器４を通過した後の空気が温度調整コイル５を通過するときに、通過する空気を加熱する暖房運転を行うことが可能である。また、温度調整コイル５は、全熱交換器４を通過した後の空気が温度調整コイル５を通過するときに、通過する空気を冷却する冷房運転を行うことが可能である。温度調整コイル５は、温度調整コイル５を流れる冷媒の流量を調整する絞り装置である電子膨張弁制御装置の開度を変化させることで能力が調整される。
【００２３】
温度調整コイル５は、後述する制御部２０の制御によって、サーモオンとサーモオフとの切替が制御される。サーモオンとは、温度調整コイル５内を冷媒が流れており、温度調整コイル５の周囲の空気と冷媒との間で熱交換が行われている状態のことをいう。すなわち、サーモオンとは、温度調整コイル５に冷媒が循環している状態である。サーモオフとは、温度調整コイル５内を冷媒が流れておらず、温度調整コイル５の周囲の空気と冷媒との間で熱交換が行われていない状態のことをいう。すなわち、サーモオフとは、温度調整コイル５に冷媒が循環していない状態である。
【００２４】
また、温度調整コイル５は、加熱能力および冷却能力が多段階に変更可能である。温度調整コイル５の加熱能力および冷却能力は、例えば、最大能力を１００％とすると、１００％、５０％、２５％、０％の４段階に制御可能である。ただし、温度調整コイル５の能力の段階数は、４段階よりも多くすることも可能であり、また４段階よりも少なくすることも可能であり、各段階の能力は任意に選択することが可能である。
【００２５】
給気風路１ｃにおける温度調整コイル５よりも下流側の位置には、温度調整コイル５を通過する給気流を加湿する加湿器６が配置されている。加湿器６は、ケーシング１ａ内部の給気用送風機３の吹出口から吹き出された給気流を加湿する加湿風路部として機能する。
【００２６】
図３に示すように、制御装置１４は、排気用送風機２と給気用送風機３とを有する送風部１７と、温度調整コイル５と、ダンパ１３との動作を制御して熱交換型換気装置１００の換気運転を制御する制御部である制御部２０を備える。制御部２０は、吹出温度抑制運転を制御する抑制運転制御部２１と、タイマー機能を有するタイマー部２２と、熱交換型換気装置１００の換気運転の制御に関わる各種の情報を記憶する記憶部２３と、を備える。また、制御装置１４は、リモートコントローラ１５および給気温湿度測定部１６等の構成部と制御部２０との間の入力インターフェースである入力インターフェース１８と、温度調整コイル５、送風部１７およびダンパ１３等の構成部と制御部２０との間の出力インターフェースである出力インターフェース１９と、を備える。
【００２７】
制御部２０は、ケーシング１ａの外部においてメンテナンスを行い易い位置に配置され、給気用送風機３と排気用送風機２と温度調整コイル５とダンパ１３とを制御して熱交換型換気装置１００の換気運転を制御する。すなわち、制御部２０は、通信線を介して給気用送風機３および排気用送風機２と通信可能とされており、熱交換型換気装置１００の基本動作として、換気運転のオンおよびオフ、給気用送風機３および排気用送風機２の風量を制御する。
【００２８】
熱交換型換気装置１００は、例えば、最も風量の少ない弱風量で運転する弱風量運転と、弱風量よりも風量の多い中風量で運転する中風量運転と、中風量よりも風量の多い強風量で運転する強風量運転と、の３段階の風量で運転可能とされている。すなわち、排気用送風機２と給気用送風機３とは、風量が大きい順に、強、中、弱、の３段階に風量を制御可能である。
【００２９】
また、制御部２０では、熱交換型換気装置１００の基本動作として、温度調整コイル５の動作の制御として、温度調整コイル５のサーモオンとサーモオフとの切替、温度調整コイル５の暖房運転と冷房運転との切替、加熱能力および冷却能力の変更、を制御することができる。温度調整コイル５がサーモオフとされることで、給気流を加熱および冷却しない送風運転が行われる。また、制御部２０では、熱交換型換気装置１００の基本動作として、加湿器６における加湿のオンおよびオフが制御される。
【００３０】
タイマー部２２は、後述するサーモ判定において、サーモオフ許可タイマー値t_offおよびサーモオン許可タイマー値t_onをカウントする。
【００３１】
記憶部２３は、熱交換型換気装置１００の運転に関わる各種の情報を記憶する。記憶部２３は、上限吹出温度Tlim_HIを記憶する上限吹出温度記憶部２４と、下限吹出温度Tlim_LOを記憶する下限吹出温度記憶部２５とを有する。記憶部２３としては、熱交換型換気装置１００への通電が断電された場合でも、記憶された情報が消去されないように、不揮発性の記憶装置が使用される。記憶部２３は、例えばメモリによって実現される。
【００３２】
上限吹出温度Tlim_HIは、熱交換型換気装置１００の換気運転においてケーシング１ａから室内に吹き出される給気空気の吹出温度の上限を、室内に居るユーザーが給気空気の吹出温度を快適であると感じる範囲の上限に、規定する温度である。また、上限吹出温度Tlim_HIは、後述するようにケーシング１ａから室内に吹き出される給気空気の温度である吹出温度が室内に居るユーザーにとって快適であるか、または不快であるかを判定するための閾値温度として使用される。上限吹出温度Tlim_HIは、リモートコントローラ１５から入力インターフェース１８を介して制御部２０に送られ、制御部２０の制御によって記憶部２３の上限吹出温度記憶部２４に設定されて記憶される。上限吹出温度Tlim_HIは、リモートコントローラ１５から入力インターフェース１８を介して任意の値に変更することができる。
【００３３】
下限吹出温度Tlim_LOは、熱交換型換気装置１００の換気運転においてケーシング１ａから室内に吹き出される給気空気の吹出温度の下限を、室内に居るユーザーが給気空気の吹出温度を快適であると感じる範囲の下限に、規定する温度である。また、下限吹出温度Tlim_LOは、後述するようにケーシング１ａから室内に吹き出される給気空気の温度である吹出温度が室内に居るユーザーにとって快適であるか、または不快であるかを判定するための閾値温度として使用される。下限吹出温度Tlim_LOは、リモートコントローラ１５から入力インターフェース１８を介して制御部２０に送られ、制御部２０の制御によって記憶部２３の下限吹出温度記憶部２５に設定されて記憶される。下限吹出温度Tlim_LOは、リモートコントローラ１５から入力インターフェース１８を介して任意の値に変更することができる。
【００３４】
そして、下限吹出温度Tlim_LO以上、上限吹出温度Tlim_HI以下の温度範囲は、ユーザーが快適と感じる吹出温度の範囲である。
【００３５】
抑制運転制御部２１は、ケーシング１ａから吹き出される給気空気の吹出温度の下限を規定する下限吹出温度およびケーシング１ａから吹き出される給気空気の吹出温度の上限を規定する上限吹出温度と、給気温度と、の比較結果に基づいて、吹出温度を抑制するように送風部１７と温度調整コイル５とのうち少なくとも１つの動作を制御して換気を行う吹出温度抑制運転の制御を行う。吹出温度抑制運転の詳細については後述する。
【００３６】
リモートコントローラ１５は、少なくともユーザーが熱交換型換気装置１００の運転の開始と運転の停止に関する操作を行うための端末である。リモートコントローラ１５は、熱交換型換気装置１００の換気動作等の各種制御についての指令を受け付ける。リモートコントローラ１５は、ユーザーから受け付けた各種指令を、制御装置１４の制御部２０に送信する。すなわち、リモートコントローラ１５は、熱交換型換気装置１００における、運転のオンと運転のオフとの切替、換気風量の切替、換気モードの切替、運転タイマーの設定などが可能になっている。リモートコントローラ１５は、例えばリモートコントローラや、操作用のアプリケーションがインストールされたコンピュータ、タブレット端末またはスマートフォンなどが該当する。
【００３７】
給気温湿度測定部１６により測定された給気温度T_saと、リモートコントローラ１５より入力された情報とは、入力インターフェース１８を介して抑制運転制御部２１に送られる。また、抑制運転制御部２１から送信される制御信号は、出力インターフェース１９を介して、送風部１７と、温度調整コイル５と、ダンパ１３に送信される。送風部１７と温度調整コイル５とダンパ１３とは、受信した制御信号に従って、送風部１７の出力、温度調整コイル５の出力、またはダンパ１３の開閉動作を変更する。送風部１７の出力は、給気用送風機３と排気用送風機２との出力である。
【００３８】
つぎに、熱交換型換気装置１００における、吹出温度抑制運転について説明する。まず、熱交換型換気装置１００の吹出温度抑制運転の制御における吹出温度の不快判定について説明する。吹出温度の不快判定は、現在の給気空気の温度である吹出温度が室内に居るユーザーにとって快適であるか、または不快であるかを判定する判定である。
【００３９】
図４は、本発明の実施の形態１にかかる熱交換型換気装置１００の吹出温度抑制運転の制御における吹出温度の不快判定の手順を示すフローチャートである。吹出温度抑制運転では、抑制運転制御部２１が、上限吹出温度Tlim_HIまたは下限吹出温度Tlim_LOと、給気温度T_saとを比較することで、現在の給気空気の温度が快適であるか、または不快であるかが判定される。給気温度T_saは、ケーシング１ａから吹き出される給気空気の温度、すなわち、ケーシング１ａから吹き出される給気空気の吹出温度であり、給気温湿度測定部１６において測定される温度である。
【００４０】
まず、ステップＳ１１０において、給気温湿度測定部１６が、予め決められた測定周期で給気温度T_saを測定する。給気温湿度測定部１６は、測定された給気温度T_saの情報を抑制運転制御部２１に送信する。ステップＳ１１０の後、ステップＳ１２０に進む。
【００４１】
ステップＳ１２０では、抑制運転制御部２１が、温度調整コイル５の現在の運転モードが暖房運転であるか否かを判定する。抑制運転制御部２１は、制御部２０から温度調整コイル５の制御モードの情報を取得し、温度調整コイル５の制御モードの情報に基づいて、現在の運転モードが暖房運転であるか否かを判定する。ステップＳ１２０において運転モードが暖房運転であると判定された場合は、ステップＳ１２０においてＹｅｓとなり、ステップＳ１３０に進む。ステップＳ１２０において運転モードが暖房ではないと判定された場合は、ステップＳ１２０においてＮｏとなり、ステップＳ１５０に進む。
【００４２】
ステップＳ１３０では、抑制運転制御部２１が、給気温度T_saが上限吹出温度Tlim_HIより高いか否かを判定する。ステップＳ１３０において、給気温度T_saが上限吹出温度Tlim_HIより高いと判定された場合は、ステップＳ１３０においてＹｅｓとなり、ステップＳ１４０に進む。
【００４３】
ステップＳ１４０では、抑制運転制御部２１は、ケーシング１ａから吹き出される給気空気の吹出温度が不快であると判定する。
【００４４】
ステップＳ１３０において給気温度T_saが上限吹出温度Tlim_HI以下であると判定された場合は、ステップＳ１３０においてＮｏとなり、ステップＳ１１０に戻る。抑制運転制御部２１は、給気温度T_saが上限吹出温度Tlim_HI以下であると判定された場合は、ケーシング１ａから吹き出される給気空気の吹出温度が不快ではないと判定する。
【００４５】
ステップＳ１５０では、抑制運転制御部２１が、温度調整コイル５の現在の運転モードが冷房運転であるか否かを判定する。ステップＳ１５０において運転モードが冷房運転であると判定された場合は、ステップＳ１５０においてＹｅｓとなり、ステップＳ１６０に進む。ステップＳ１５０において運転モードが冷房運転ではないと判定された場合は、ステップＳ１５０においてＮｏとなり、ステップＳ１１０に戻る。
【００４６】
ステップＳ１６０では、抑制運転制御部２１が、給気温度T_saが下限吹出温度Tlim_LOより低いか否かを判定する。ステップＳ１６０において、給気温度T_saが下限吹出温度Tlim_LOより低いと判定された場合は、ステップＳ１６０においてＹｅｓとなり、ステップＳ１４０に進む。
【００４７】
ステップＳ１６０において給気温度T_saが下限吹出温度Tlim_LO以上であると判定された場合は、ステップＳ１６０においてＮｏとなり、ステップＳ１１０に戻る。抑制運転制御部２１は、給気温度T_saが下限吹出温度Tlim_LO以上であると判定された場合は、ケーシング１ａから吹き出される給気空気の吹出温度が不快ではないと判定する。
【００４８】
つぎに、熱交換型換気装置１００の吹出温度抑制運転の制御におけるサーモ判定について説明する。図５は、本発明の実施の形態１にかかる熱交換型換気装置１００の吹出温度抑制運転の制御におけるサーモ判定の手順を示すフローチャートである。吹出温度抑制運転では、図４のフローチャートに示した手順で判定された吹出温度の快適、または不快の判定結果を用いて温度調整コイル５のサーモオンおよびサーモオフの切替を制御している。
【００４９】
まず、ステップＳ２１０において、抑制運転制御部２１が、現在、温度調整コイル５がサーモオンであるか否かを判定する。抑制運転制御部２１は、制御部２０から温度調整コイル５の制御モードの情報を取得し、温度調整コイル５の制御モードの情報に基づいて、温度調整コイル５がサーモオンであるか否かを判定する。ステップＳ２１０において温度調整コイル５がサーモオンであると判定された場合は、ステップＳ２１０においてＹｅｓとなり、ステップＳ２２０に進む。ステップＳ２１０において温度調整コイル５がサーモオンではないと判定された場合は、ステップＳ２１０においてＮｏとなり、ステップＳ２６０に進む。
【００５０】
ステップＳ２２０では、図４のフローチャートに示した手順に従って、吹出温度が不快であるか否かを判定する。ステップＳ２２０において吹出温度が不快であると判定された場合は、ステップＳ２２０においてＹｅｓとなり、ステップＳ２３０に進む。ステップＳ２２０において吹出温度が不快ではないと判定された場合は、ステップＳ２２０においてＮｏとなり、ステップＳ２２０に戻る。
【００５１】
ステップＳ２３０では、タイマー部２２が、サーモオフ許可タイマー値t_offのカウントを実施する。サーモオフ許可タイマー値t_offのカウントは、不快と判定されている時間のカウント、すなわち、給気温度が上限吹出温度Tlim_HIより大である時間または下限吹出温度Tlim_LO未満となる時間のカウントである。サーモ判定において、サーモオフ許可タイマー値t_offのカウント時間が予め決められた第１既定時間以上となった場合に温度調整コイル５をサーモオフにする制御としている。これにより、給気温湿度測定部１６で測定される給気温度T_saの測定値の変動に起因した、温度調整コイル５のサーモオンおよびサーモオフの切替がめまぐるしく行われることを防止できる。
【００５２】
第１既定時間は、抑制運転制御部２１が、温度調整コイル５がサーモオン状態であり且つ吹出温度が不快であると判定されている状態において温度調整コイル５をサーモオフに切り替えるか否かを判定するための閾値時間であり、任意の時間に変更することが可能である。第１既定時間の一例は、例えば１５分である。ステップＳ２３０の後、ステップＳ２４０に進む。
【００５３】
ステップＳ２４０では、抑制運転制御部２１が、サーモオフ許可タイマー値t_offのカウント時間が予め決められた第１既定時間以上であるか否かを判定する。ステップＳ２４０においてサーモオフ許可タイマー値t_offのカウント時間が第１既定時間以上であると判定された場合は、ステップＳ２４０においてＹｅｓとなり、ステップＳ２５０に進む。
【００５４】
ステップＳ２４０においてサーモオフ許可タイマー値t_offのカウント時間が第１既定時間未満であると判定された場合は、ステップＳ２４０においてＮｏとなり、ステップＳ２２０に戻る。
【００５５】
ステップＳ２５０では、抑制運転制御部２１が、温度調整コイル５をサーモオフさせ、サーモオフ許可タイマー値t_offのカウントをリセットする。
【００５６】
ステップＳ２６０では、タイマー部２２が、サーモオン許可タイマー値t_onのカウントを開始する。サーモ判定において、サーモオン許可タイマー値t_onのカウント時間が予め決められた第２既定時間以上となった場合に温度調整コイル５をサーモオンさせる制御としている。
【００５７】
第２既定時間は、抑制運転制御部２１が、サーモオフの温度調整コイル５をサーモオンに切り替えるか否かを判定するための閾値時間であり、任意の時間に変更することが可能である。第２既定時間の一例は、例えば１５分である。ステップＳ２６０の後、ステップＳ２７０に進む。
【００５８】
ステップＳ２７０では、抑制運転制御部２１が、サーモオン許可タイマー値t_onのカウント時間が第２既定時間以上であるか否かを判定する。ステップＳ２７０においてサーモオン許可タイマー値t_onのカウント時間が第２既定時間以上であると判定された場合は、ステップＳ２７０においてＹｅｓとなり、ステップＳ２８０に進む。
【００５９】
ステップＳ２７０においてサーモオン許可タイマー値t_onのカウント時間が第２既定時間未満であると判定された場合は、ステップＳ２７０においてＮｏとなり、ステップＳ２６０に戻り、サーモオン許可タイマー値t_onのカウントを継続する。
【００６０】
ステップＳ２８０では、抑制運転制御部２１が、温度調整コイル５をサーモオンに切り替え、サーモオン許可タイマー値t_onのカウントをリセットする。
【００６１】
上記の処理を行うことにより、温度調整コイル５がサーモオンであるときに、給気温度が上限吹出温度Tlim_HIより大である時間または給気温度が下限吹出温度Tlim_LO未満となる時間が予め決められた既定時間以上経過した場合に、温度調整コイル５をサーモオフにする制御を行うことができる。また、ステップＳ２５０において温度調整コイル５をサーモオフにした後に再度ステップＳ２１０を実施する場合に、予め決められた第２既定時間以上経過した場合に温度調整コイルをサーモオンにする制御を行うことができる。これにより、給気温湿度測定部１６で測定される給気温度T_saの測定値の変動に起因した、温度調整コイル５のサーモオンおよびサーモオフの切替がめまぐるしく行われること、すなわちサーモオンおよびサーモオフの切替のハンチングを防止して、制御の安定を図ることができる。
【００６２】
つぎに、熱交換型換気装置１００の吹出温度抑制運転の制御について説明する。図６は、本発明の実施の形態１にかかる熱交換型換気装置１００の吹出温度抑制運転の手順を示すフローチャートである。
【００６３】
まず、ステップＳ３１０において、給気温湿度測定部１６が、予め決められた測定周期で給気温度T_saを測定する。給気温湿度測定部１６は、測定された給気温度T_saの情報を抑制運転制御部２１に送信する。ステップＳ３１０の後、ステップＳ３２０に進む。
【００６４】
ステップＳ３２０では、抑制運転制御部２１が、温度調整コイル５の現在の運転モードが暖房運転であるか否かを判定する。抑制運転制御部２１は、制御部２０から温度調整コイル５の制御モードの情報を取得し、温度調整コイル５の制御モードの情報に基づいて、現在の運転モードが暖房運転であるか否かを判定する。ステップＳ３２０において運転モードが暖房運転であると判定された場合は、ステップＳ３２０においてＹｅｓとなり、ステップＳ３３０に進む。ステップＳ３２０において運転モードが暖房運転ではないと判定された場合は、ステップＳ３２０においてＮｏとなり、ステップＳ３９０に進む。
【００６５】
ステップＳ３３０では、抑制運転制御部２１が、給気温度T_saが「上限吹出温度Tlim_HI−ΔT1」以上であるか否かを判定する。ステップＳ３３０において給気温度T_saが「上限吹出温度Tlim_HI−ΔT1」以上であると判定された場合は、ステップＳ３３０においてＹｅｓとなり、ステップＳ３４０に進む。ステップＳ３３０において給気温度T_saが「上限吹出温度Tlim_HI−ΔT1」未満であると判定された場合は、ステップＳ３３０においてＮｏとなり、ステップＳ３７０に進む。
【００６６】
ΔT1は、抑制運転制御部２１が吹出温度抑制運転を行う際に、抑制運転制御部２１が実施可能な複数の吹出温度抑制制御から、実施する吹出温度抑制制御を判定するために、上限吹出温度Tlim_HIまたは下限吹出温度Tlim_LOに対して、上限吹出温度Tlim_HIと下限吹出温度Tlim_LOとの間の温度領域を区切る第１補正値である。
【００６７】
ステップＳ３４０では、図４および図５のフローチャートに示した手順に従って吹出温度の不快判定を行い、吹出温度の不快判定結果が不快ではないか否かを判定する。吹出温度の不快判定結果が不快ではない場合は、ステップＳ３４０においてＹｅｓとなり、ステップＳ３５０に進む。吹出温度の不快判定結果が不快である場合は、ステップＳ３４０においてＮｏとなり、ステップＳ３６０に進む。
【００６８】
ステップＳ３５０では、抑制運転制御部２１が、第１の吹出温度抑制制御を実施して、一連の処理を終了する。吹出温度抑制制御は、吹出温度を現在の吹出温度よりも抑制する制御であり、熱交換型換気装置１００の運転モードが暖房運転である場合には吹出温度を下げる制御であり、熱交換型換気装置１００の運転モードが冷房運転である場合には、吹出温度を上げる制御である。
【００６９】
第１の吹出温度抑制制御では、抑制運転制御部２１は、例えば、送風部１７の出力を強風量にする、温度調整コイル５の出力を２５％にする、ダンパ１３を閉状態としてバイパス換気とする、など給気温度T_saを抑制するための制御信号のアクチュエータへの送信を実施する。このように、抑制運転制御部２１は、送風部１７と温度調整コイル５とダンパ１３とのうち少なくとも１つを制御して、給気温度T_saを抑制する制御を行う。制御信号は、換気運転に用いられるアクチュエータである送風部１７と温度調整コイル５とダンパ１３との各アクチュエータの出力を変更する信号である。
【００７０】
ここで、温度調整コイル５の出力を増加させることにより、温度調整コイル５の加熱量または冷却量が増加する。また、温度調整コイル５の出力を減少させることにより、温度調整コイル５の加熱量または冷却量が減少する。吹出温度抑制運転において給気温度T_saを抑制するためには、温度調整コイル５の暖房運転時には、吹出温度抑制制御を行う直前よりも温度調整コイル５の加熱量を減少させる制御が行われ、温度調整コイル５の冷房運転時には、吹出温度抑制制御を行う直前よりも温度調整コイル５の冷却量を減少させる制御が行われる。
【００７１】
また、吹出温度抑制運転において給気温度T_saを抑制するために、送風部１７に対して、吹出温度抑制制御を行う直前よりも送風部１７の風量を増減させる制御が行われる。また、吹出温度抑制運転において給気温度T_saを抑制するために、ダンパ１３に対して、バイパス排気風路１ｄを開放する位置と、バイパス排気風路１ｄを閉塞する位置とのうち、給気温度T_saの抑制に適したいずれかの位置にダンパ１３を移動させる制御を行う。
【００７２】
なお、第１の吹出温度抑制制御において、温度調整コイル５の出力、送風部１７の出力、ダンパ１３の動作が、例えば、第１の吹出温度抑制制御に依らない現在の制御以上の吹出温度抑制効果を実現する制御が存在しない場合は、各アクチュエータの出力を変化させない。
【００７３】
ステップＳ３６０では、抑制運転制御部２１が、第３の吹出温度抑制制御を実施して、一連の処理を終了する。第３の吹出温度抑制制御は、温度調整コイル５をサーモオフさせる制御である。この場合、ダンパ１３を閉状態としてバイパス換気を実施し、送風部１７の運転を継続してもよいし、送風部１７の出力を停止させてもよい。第３の吹出温度抑制制御は、温度調整コイル５の出力、送風部１７の出力、ダンパ１３の動作のうち、実施可能な吹出温度抑制制御として吹出温度の抑制に最も効果的なものを選択して実施することが可能である。
【００７４】
ステップＳ３７０では、給気温度T_saが「上限吹出温度Tlim_HI−ΔT2」以上であるか否かを判定する。ステップＳ３７０で、給気温度T_saが「上限吹出温度Tlim_HI−ΔT2」以上であると判定された場合は、ステップＳ３７０においてＹｅｓとなり、ステップＳ３８０に進む。
【００７５】
ΔT2は、抑制運転制御部２１が吹出温度抑制運転を行う際に、抑制運転制御部２１が実施可能な複数の吹出温度抑制制御から、実施する吹出温度抑制制御を判定するために、上限吹出温度Tlim_HIまたは下限吹出温度Tlim_LOに対して、上限吹出温度Tlim_HIと下限吹出温度Tlim_LOとの間の温度領域を区切る第２補正値である。
【００７６】
ステップＳ３３０のΔT1とステップＳ３７０のΔT2との大小関係は、下記の数式（１）に示される関係であり、ΔT2がΔT1よりも大きい。したがって、「上限吹出温度Tlim_HI−ΔT1」＞「上限吹出温度Tlim_HI−ΔT2」となる。ΔT1とΔT2との数値は、任意の数値に変更することが可能である。
【００７７】
【数１】
2021028964.tif 000003
【００７８】
ステップＳ３７０において給気温度T_saが「上限吹出温度Tlim_HI−ΔT2」未満であると判定された場合は、ステップＳ３７０においてＮｏとなり、抑制運転制御部２１は、現在の吹出温度を抑制させるための吹出温度抑制制御を実施せず、一連の処理を終了する。
【００７９】
ステップＳ３８０では、抑制運転制御部２１が、第２の吹出温度抑制制御を実施して、一連の処理を終了する。第２の吹出温度抑制制御では、抑制運転制御部２１は、例えば、送風部１７の出力を中風量にする、温度調整コイル５の出力を５０％にする、ダンパ１３を閉状態としてバイパス換気とする、など給気温度T_saを抑制するための制御信号のアクチュエータへの送信を実施する。このように、抑制運転制御部２１は、送風部１７と温度調整コイル５とダンパ１３とのうち少なくとも１つを制御して、給気温度T_saを抑制する制御を行う。
【００８０】
なお、第２の吹出温度抑制制御においても、第１の吹出温度抑制制御の場合と同様に、温度調整コイル５の出力、送風部１７の出力、ダンパ１３の動作が、例えば、第２の吹出温度抑制制御に依らない現在の制御以上の吹出温度抑制効果を実現する制御が存在しない場合は、各アクチュエータの出力を変化させない。
【００８１】
上記のように、本実施の形態１における吹出温度抑制制御の特徴は、上限吹出温度Tlim_HIまたは下限吹出温度Tlim_LOに対して、ΔT1とΔT2とを用いて温度領域を区切ることで、給気温度T_saがどの温度領域に存在するかをセンシングすることで、段階的に吹出温度を抑制させる制御を実施することである。
【００８２】
このため、第１の吹出温度抑制制御による吹出温度抑制効果、第２の吹出温度抑制制御による吹出温度抑制効果、および第３の吹出温度抑制制御による吹出温度抑制効果の大小関係は、抑制効果が大きい方より順に、「第３の吹出温度抑制制御の効果＞第１の吹出温度抑制制御の効果＞第２の吹出温度抑制制御の効果」となる。
【００８３】
ただし、上記の大小関係は、吹出温度抑制制御が３パターンしか存在しない場合についての関係である。例えばステップＳ３７０において、給気温度T_saが「上限吹出温度Tlim_HI−ΔT2」未満であると判定された場合は、ステップＳ３７０においてＮｏとなり、さらに給気温度T_saが「上限吹出温度Tlim_HI−ΔT3」以上であるかを判定する制御とすることができる。この場合、給気温度T_saが「上限吹出温度Tlim_HI−ΔT3」以上である場合に、給気温度T_saを抑制するための第４の吹出温度抑制制御を実施する制御とすることができる。
【００８４】
図６に示すフローに追加して上記のような第４の吹出温度抑制制御を実施可能であり、吹出温度抑制制御が４パターン存在する場合は、抑制効果が大きい方より順に、「第３の吹出温度抑制制御の効果＞第１の吹出温度抑制制御の効果＞第２の吹出温度抑制制御の効果＞第４の吹出温度抑制制御の効果」となる。
【００８５】
また、吹出温度抑制制御が５パターン、６パターンとさらに増えた場合についても同様に吹出温度抑制制御を実施可能であり、任意の段階数で吹出温度抑制制御を実施することが可能である。
【００８６】
吹出温度抑制制御が３パターンである吹出温度抑制制御において、最も単純な吹出温度抑制制御の決定方法は、例えば、送風部１７の出力および温度調整コイル５の出力を以下に示すように数値で扱う方法である。
【００８７】
・送風部１７の出力＝強：「３」、送風部１７の出力＝中：「２」、送風部１７の出力＝弱：「１」
・温度調整コイル５の出力＝０％：「３」、温度調整コイル５の出力＝２５％：「２」、温度調整コイル５の出力＝５０％：「１」、温度調整コイル５の出力＝１００％：「０」
【００８８】
この場合、吹出温度抑制制御を以下のように設定することにより、本実施の形態１における吹出温度抑制制御に依らない制御によるアクチュエータ制御に影響されずに、吹出温度抑制制御を実施することも可能である。
・第３の吹出温度抑制制御：送風部１７の出力＝３、温度調整コイル５の出力＝３、ダンパ１３の動作＝開
・第１の吹出温度抑制制御：送風部１７の出力＝２、温度調整コイル５の出力＝２、ダンパ１３の動作＝閉
・第２の吹出温度抑制制御：送風部１７の出力＝１、温度調整コイル５の出力＝１、ダンパ１３の動作＝閉
【００８９】
また、吹出温度抑制制御を以下のように設定することにより、本実施の形態１における吹出温度抑制制御に依らない制御によるアクチュエータ制御に影響されずに、吹出温度抑制制御を実施することも可能である。
・第３の吹出温度抑制制御：送風部１７の出力＝強、温度調整コイル５の出力＝０％、ダンパ１３の動作＝開
・第１の吹出温度抑制制御：送風部１７の出力＝現在の値＋１、温度調整コイル５の出力＝現在値＋１、ダンパ１３の動作＝閉
・第２の吹出温度抑制制御：送風部１７の出力＝現在の値＋１、温度調整コイル５の出力＝現在値＋１、ダンパ１３の動作＝閉
【００９０】
上記の吹出温度抑制制御において、ダンパ１３を開状態、すなわち換気運転を全熱交換換気運転としているのは、ダンパ１３を閉状態とすることによるバイパス換気運転で室外空気の導入により吹出温度を逆に不快としないためである。ダンパ１３の開状態は、ダンパ１３がバイパス排気風路１ｄを閉塞する位置にある状態であり、全熱交換換気が行われる場合である。ダンパ１３の閉状態は、ダンパ１３がバイパス排気風路１ｄを開放する位置にある状態であり、バイパス換気が行われる場合である。
【００９１】
なお、送風部１７の出力、温度調整コイル５の出力、ダンパ１３の動作による吹出温度抑制は全てのアクチュエータを用いてもよいし、一部、例えば、温度調整コイル５のみを用いてもよい。
【００９２】
さらに、温度調整コイル５の出力変更の実施後の給気温度T_saを確認してから、送風部１７の出力およびダンパ１３の動作の変更を判定してもよい。このときのアクチュエータの出力の変更および動作の変更の優先順位は任意に決定することが可能である。
【００９３】
ステップＳ３９０では、抑制運転制御部２１が、温度調整コイル５の現在の運転モードが冷房運転であるか否かを判定する。ステップＳ３９０において運転モードが冷房運転であると判定された場合は、ステップＳ３９０においてＹｅｓとなり、ステップＳ４００に進む。ステップＳ３９０において運転モードが冷房運転ではないと判定された場合は、ステップＳ３９０においてＮｏとなり、ステップＳ３１０に戻る。
【００９４】
ステップＳ４００では、抑制運転制御部２１が、給気温度T_saが「下限吹出温度Tlim_LO＋ΔT1」以下であるか否かを判定する。ステップＳ４００において給気温度T_saが「下限吹出温度Tlim_LO＋ΔT1」以下であると判定された場合は、ステップＳ４００においてＹｅｓとなり、ステップＳ３４０に進む。ステップＳ４００において給気温度T_saが「下限吹出温度Tlim_LO＋ΔT1」より大であると判定された場合は、ステップＳ４００においてＮｏとなり、ステップＳ４１０に進む。
【００９５】
ステップＳ４１０では、抑制運転制御部２１が、給気温度T_saが「下限吹出温度Tlim_LO＋ΔT2」以下であるか否かを判定する。ステップＳ４１０において給気温度T_saが「下限吹出温度Tlim_LO＋ΔT2」以下であると判定された場合は、ステップＳ４１０においてＹｅｓとなり、ステップＳ４２０に進む。
【００９６】
ステップＳ４１０において給気温度T_saが「下限吹出温度Tlim_LO+ΔT2」より大であると判定された場合は、ステップＳ４１０においてＮｏとなり、抑制運転制御部２１は、現在の吹出温度を抑制させるための吹出温度抑制制御を実施せず、一連の処理を終了する。
【００９７】
ステップＳ４２０では、抑制運転制御部２１は、上述したステップＳ３８０と同様に第２の吹出温度抑制制御を実施して、一連の処理を終了する。
【００９８】
また、抑制運転制御部２１は、上記の第１の吹出温度抑制制御、第２の吹出温度抑制制御および第３の吹出温度抑制制御を行う場合に、後述する室内温湿度測定部１２により測定される室内温度および室内湿度に基づいて室内の空気環境の露点温度を算出し、ケーシング１ａから吹き出される給気空気の給気温度、すなわち給気空気の吹出温度が室内の空気の露点以下とならないように、送風部１７と温度調整コイル５とダンパ１３とのうち少なくとも１つの動作を制御してもよい。これにより、給気空気の吹出温度に起因したケーシング１ａ内の結露を防止することができる。
【００９９】
以上の処理を行うことにより、下限吹出温度Tlim_LO以上、上限吹出温度Tlim_HI以下の温度範囲においてΔT1およびΔT2によって区切られた温度区間のどこに、現在の給気温度T_saが存在するかをセンシングすることで、任意に設定可能な吹出温度抑制制御を用いて段階的に吹出温度を抑制することが可能となる。これにより、ケーシング１ａから吹き出される給気空気の吹出温度が、上限吹出温度Tlim_HIおよび下限吹出温度Tlim_LOを満足しない吹出温度とならないように熱交換型換気装置１００の動作を制御することが可能であり、ケーシング１ａから吹き出される給気空気の吹出温度の快適性を改善できる。
【０１００】
上述したように、本実施の形態１にかかる熱交換型換気装置１００は、給気空気の吹出温度の測定値が、ユーザーが快適と感じる吹出温度の範囲である下限吹出温度Tlim_LO以上、上限吹出温度Tlim_HI以下の温度範囲内となるように、給気空気の吹出温度の測定値に基づいて制御を行う。すなわち、熱交換型換気装置１００は、給気空気の吹出温度が熱交換型換気装置１００の室内に居るユーザーに対して不快とならないように、給気空気の吹出温度が下限吹出温度Tlim_LO以上、上限吹出温度Tlim_HI以下の温度範囲内となるように制御して換気運転を行える。
【０１０１】
また、抑制運転制御部２１は、温度調整コイル５の暖房運転時に上限吹出温度Tlim_HIと給気温度T_saとを比較し、上限吹出温度Tlim_HIに給気温度T_saが近いほど温度調整コイル５の加熱量を少なくし、また、温度調整コイル５の冷房運転時に下限吹出温度Tlim_LOと給気温度T_saとを比較し、下限吹出温度Tlim_LOに給気温度T_saが近いほど温度調整コイル５の冷却量を少なくする。これにより、段階的に給気温度T_saを抑制して、細やかに給気温度T_saを抑制することができる。
【０１０２】
また、熱交換型換気装置１００は、室内に居るユーザーにとって不快な給気空気の過度の冷却および給気空気の過度の暖房を防止できるため、換気運転の省エネルギーを実現できる。
【０１０３】
したがって、本実施の形態１にかかる熱交換型換気装置１００によれば、室内に給気される給気空気が室内に居るユーザーにとって快適な状態で換気が可能である、という効果を奏する。
【０１０４】
実施の形態２．
図７は、本発明の実施の形態２における熱交換型換気装置１００の吹出温度抑制運転の手順を示すフローチャートである。本実施の形態２では、吹出温度抑制制御の決定方法を、アクチュエータの出力を用いて数式化することで、上述した実施の形態１の場合よりもリニアに吹出温度抑制制御を実施することを可能とする。
【０１０５】
まず、ステップＳ５１０において、給気温湿度測定部１６が、予め決められた測定周期で給気温度T_saを測定する。給気温湿度測定部１６は、測定された給気温度T_saの情報を抑制運転制御部２１に送信する。ステップＳ５１０の後、ステップＳ５２０に進む。
【０１０６】
ステップＳ５２０では、抑制運転制御部２１が、温度調整コイル５の現在の運転モードが暖房運転であるか否かを判定する。ステップＳ５２０において運転モードが暖房運転であると判定された場合は、ステップＳ５２０においてＹｅｓとなり、ステップＳ５３０に進む。ステップＳ５２０において運転モードが暖房運転ではないと判定された場合は、ステップＳ５２０においてＮｏとなり、ステップＳ５５０に進む。
【０１０７】
ステップＳ５３０では、図４および図５のフローチャートに示した手順に従って吹出温度の不快判定を行い、吹出温度の不快判定結果が不快ではないか否かを判定する。吹出温度の不快判定結果が不快ではない場合は、ステップＳ５３０においてＹｅｓとなり、ステップＳ５４０に進む。吹出温度の不快判定結果が不快である場合は、ステップＳ５３０においてＮｏとなり、ステップＳ５８０に進む。
【０１０８】
ステップＳ５４０では、抑制運転制御部２１が、第５の吹出温度抑制制御を実施して、一連の処理を終了する。第５の吹出温度抑制制御におけるアクチュエータの出力であるアクチュエータ出力OutPut5は、給気温度T_saと上限吹出温度Tlim_HIとを用いて、以下の数式（２）により算出される。
【０１０９】
【数２】
2021028964.tif 000004
【０１１０】
上記の数式（２）によって算出されたアクチュエータ出力OutPut5を送風部１７の出力および温度調整コイル５の出力のうちのいずれか１つに反映させてもよく、または両方に反映させてもよい。また、ダンパ１３の動作については開閉の２パターンであることから、上述した実施の形態１の場合のように、各アクチュエータの出力と任意で組み合わせてもよい。
【０１１１】
ステップＳ５８０では、抑制運転制御部２１が、第７の吹出温度抑制制御を実施して、一連の処理を終了する。第７の吹出温度抑制制御は、温度調整コイル５をサーモオフに切り替える制御である。この場合、ダンパ１３を閉状態として送風部１７の運転を継続してもよいし、送風部１７の出力を停止させてもよい。第７の吹出温度抑制制御は、温度調整コイル５の出力、送風部１７の出力、ダンパ１３の動作のうち、実施可能な吹出温度抑制制御として吹出温度の抑制に最も効果的なものを選択して実施することが可能である。第７の吹出温度抑制制御は、上述した実施の形態１における第３の吹出温度抑制制御と同一と考えてもよい。
【０１１２】
ステップＳ５５０では、抑制運転制御部２１が、温度調整コイル５の現在の運転モードが冷房運転であるか否かを判定する。ステップＳ５５０において運転モードが冷房運転であると判定された場合は、ステップＳ５５０においてＹｅｓとなり、ステップＳ５６０に進む。ステップＳ５５０において運転モードが冷房運転ではないと判定された場合は、ステップＳ５５０においてＮｏとなり、ステップＳ５１０に戻る。
【０１１３】
ステップＳ５６０では、図４および図５のフローチャートに示した手順に従って吹出温度の不快判定を行い、吹出温度の不快判定結果が不快ではないか否かを判定する。吹出温度の不快判定結果が不快ではない場合は、ステップＳ５６０においてＹｅｓとなり、ステップＳ５７０に進む。吹出温度の不快判定結果が不快である場合は、ステップＳ５６０においてＮｏとなり、ステップＳ５８０に進む。
【０１１４】
ステップＳ５７０では、第６の吹出温度抑制制御を実施して、一連の処理を終了する。第６の吹出温度抑制制御におけるアクチュエータの出力であるアクチュエータ出力OutPut6は、給気温度T_saと下限吹出温度Tlim_LOとを用いて、以下の数式（３）により算出される。
【０１１５】
【数３】
2021028964.tif 000005
【０１１６】
上記の数式（３）によって算出されたアクチュエータ出力OutPut6を送風部１７の出力および温度調整コイル５の出力のうちのいずれか１つに反映させてもよく、または両方に反映させてもよい。また、ダンパ１３の動作については開閉の２パターンであることから、上述した実施の形態１の場合のように、各アクチュエータの出力と任意で組み合わせてもよい。
【０１１７】
抑制運転制御部２１は、上述した制御を行うことにより、上限吹出温度Tlim_HIまたは下限吹出温度Tlim_LOに対する給気温度T_saの割合に基づいて、温度調整コイル５の加熱量または冷却量を複数段階に制御することができ、段階的に給気温度T_saを抑制して、細やかに給気温度T_saを抑制することができる。
【０１１８】
上述したように、本実施の形態２では、本実施の形態１の場合と同様に吹出温度抑制運転を行うため、本実施の形態１の場合と同様の効果が得られる。
【０１１９】
また、本実施の形態２では、実施の形態１と異なり、暖房運転の場合は上限吹出温度Tlim_HIに対する給気温度T_saの相対比率［％］によって、吹出温度抑制制御において各アクチュエータの制御に用いる制御量が決まる。また、冷房運転の場合は、給気温度T_saに対する下限吹出温度Tlim_LOの相対比率［％］によって、吹出温度抑制制御において各アクチュエータの制御に用いる制御量が決まる。このため、本実施の形態２では、実施の形態１と異なり、事前に区画分けのためにΔT1およびΔT2を定める必要がなく、給気空気の吹出温度を抑制することが可能である、という効果を奏する。
【０１２０】
実施の形態３．
図８は、本発明の実施の形態３における熱交換型換気装置１００の運転に関わる機能構成を示す図である。本実施の形態３における吹出温度抑制運転では、制御部２０が室内設定湿度を記憶しており、実施の形態１または実施の形態２において示した吹出温度抑制運転を実施する前に、吹出温度抑制運転の実施の可否の判定を給気空気の湿度に基づいて行う。
【０１２１】
室内設定湿度は、室内空気の湿度の目標となる設定値であり、リモートコントローラ１５から入力インターフェース１８を介して制御部２０に送られ、制御部２０の制御によって記憶部２３の室内設定湿度記憶部２６に設定されて記憶される。室内設定湿度は、相対湿度の設定湿度である室内設定相対湿度RH_setまたは絶対湿度の設定湿度である室内設定絶対湿度AH_setによって設定することが可能である。室内設定湿度は、リモートコントローラ１５から入力インターフェース１８を介して任意の値に変更することができる。また、室内設定湿度は、本実施の形態３にかかる吹出温度抑制運転に依らない熱交換型換気装置１００の他の制御で室内設定湿度を用いている場合には、他の制御で設定されている室内設定湿度を流用してもよい。
【０１２２】
給気温湿度測定部１６により測定された給気温度T_saおよび給気相対湿度RH_saと、リモートコントローラ１５より入力された情報とは、入力インターフェース１８を介して抑制運転制御部２１に送られる。また、抑制運転制御部２１から送信される制御信号は、出力インターフェース１９を介して、送風部１７と、温度調整コイル５と、ダンパ１３に送信される。送風部１７と温度調整コイル５とダンパ１３とは、受信した制御信号に従って、送風部１７の出力、温度調整コイル５の出力、またはダンパ１３の開閉動作を変更する。
【０１２３】
図９は、本発明の実施の形態３における熱交換型換気装置１００の吹出温度抑制運転の手順を示すフローチャートである。以下において説明する本実施の形態３における熱交換型換気装置１００の吹出温度抑制運転の制御では、吹出温度抑制運転の実施の可否の判定を給気空気の湿度に基づいて行った結果に基づいて、吹出温度抑制運転を実施する。吹出温度抑制運転における吹出温度抑制制御は、上述した実施の形態１および実施の形態２のいずれか一方と同一である。
【０１２４】
まず、ステップＳ６１０において、給気温湿度測定部１６が、予め決められた測定周期で給気温度T_saと、給気空気の相対湿度である給気相対湿度RH_saと、を測定する。給気温湿度測定部１６は、測定された給気温度T_saの情報と、給気相対湿度RH_saの情報と、を抑制運転制御部２１に送信する。また、給気温度T_saと給気相対湿度RH_saとは、本実施の形態３にかかる吹出温度抑制運転に依らない熱交換型換気装置１００の他の制御で給気温度T_saと給気相対湿度RH_saとを用いている場合には、他の制御で用いている給気温度T_saと給気相対湿度RH_saとを流用してもよい。ステップＳ６１０の後、ステップＳ６２０に進む。
【０１２５】
ステップＳ６２０では、抑制運転制御部２１が、給気温度T_saと給気相対湿度RH_saとにより、給気空気の絶対湿度である給気絶対湿度AH_saを算出する。ステップＳ６２０の後、ステップＳ６３０に進む。なお、給気温湿度測定部１６において、直接、絶対湿度を測定可能な場合は、ステップＳ６２０を省略してもよい。
【０１２６】
給気絶対湿度AH_saは、下記の数式（４）により算出される。
【０１２７】
【数４】
2021028964.tif 000006
【０１２８】
また、上記の数式（４）において、αは以下の数式（５）であらわされる。
【０１２９】
【数５】
2021028964.tif 000007
【０１３０】
ステップＳ６３０では、抑制運転制御部２１が、温度調整コイル５の現在の運転モードが暖房運転であるか否かを判定する。ステップＳ６３０において運転モードが暖房運転であると判定された場合は、ステップＳ６３０においてＹｅｓとなり、ステップＳ６４０に進む。ステップＳ６３０において運転モードが暖房運転ではないと判定された場合は、ステップＳ６３０においてＮｏとなり、ステップＳ６８０に進む。
【０１３１】
ステップＳ６４０では、抑制運転制御部２１が、吹出温度抑制運転の実施の可否を給気相対湿度RH_saを用いて判定する相対湿度判定を、実施するか否かを判定する。ステップＳ６４０において相対湿度判定を実施すると判定された場合は、ステップＳ６４０においてＹｅｓとなり、ステップＳ６５０に進む。ステップＳ６４０において相対湿度判定を実施しないと判定された場合は、ステップＳ６４０においてＮｏとなり、ステップＳ６７０に進む。
【０１３２】
抑制運転制御部２１が、吹出温度抑制運転の実施の可否を給気相対湿度RH_saを用いて判定する相対湿度判定を実施するか、または、吹出温度抑制運転の実施の可否を給気絶対湿度AH_saを用いて判定する絶対湿度判定を実施するか、を判定するための判定情報は、リモートコントローラ１５から入力インターフェース１８を介して抑制運転制御部２１に送られ、抑制運転制御部２１に設定されて記憶されている。判定情報は、リモートコントローラ１５から入力インターフェース１８を介して任意に変更することができる。
【０１３３】
ステップＳ６５０では、抑制運転制御部２１が、給気相対湿度RH_saが室内設定湿度である室内設定相対湿度RH_set以上であるか否かを判定する。ステップＳ６５０において給気相対湿度RH_saが室内設定相対湿度RH_set以上であると判定された場合は、ステップＳ６５０においてＹｅｓとなり、ステップＳ６６０に進む。ステップＳ６５０において給気相対湿度RH_saが室内設定相対湿度RH_set未満であると判定された場合は、ステップＳ６５０においてＮｏとなり、ステップＳ６１０に戻る。
【０１３４】
ステップＳ６６０では、熱交換型換気装置１００は、吹出温度抑制運転に移行する。すなわち、抑制運転制御部２１が、吹出温度抑制運転の制御を開始する。吹出温度抑制運転および吹出温度抑制制御は、上述した実施の形態１または実施の形態２の場合と同一であり、図６のステップＳ３１０または図７のステップＳ５１０に進む。
【０１３５】
ステップＳ６７０では、抑制運転制御部２１が、給気絶対湿度AH_saが室内設定湿度である室内設定絶対湿度AH_set以上であるか否かを判定する。ステップＳ６７０で、給気絶対湿度AH_saが室内設定絶対湿度AH_set以上であると判定された場合は、ステップＳ６７０においてＹｅｓとなり、ステップＳ６６０に進む。ステップＳ６７０において給気絶対湿度AH_saが室内設定絶対湿度AH_set未満であると判定された場合は、ステップＳ６７０においてＮｏとなり、ステップＳ６１０に戻る。
【０１３６】
温度調整コイル５の現在の運転モードが暖房運転である場合にステップＳ６５０およびステップＳ６７０で用いる室内設定湿度は、第１室内設定湿度である。
【０１３７】
ステップＳ６８０では、抑制運転制御部２１が、温度調整コイル５の現在の運転モードが冷房運転であるか否かを判定する。ステップＳ６８０において運転モードが冷房運転であると判定された場合は、ステップＳ６８０においてＹｅｓとなり、ステップＳ６９０に進む。ステップＳ６８０において運転モードが冷房運転ではないと判定された場合は、ステップＳ６８０においてＮｏとなり、ステップＳ６１０に戻る。
【０１３８】
ステップＳ６９０では、抑制運転制御部２１が、吹出温度抑制運転の実施の可否を給気相対湿度RH_saで判定する相対湿度判定を実施するか否かを判定する。ステップＳ６９０において相対湿度判定を実施すると判定された場合は、ステップＳ６９０においてＹｅｓとなり、ステップＳ７００に進む。ステップＳ６９０において相対湿度判定を実施しないと判定された場合は、ステップＳ６９０においてＮｏとなり、ステップＳ７１０に進む。
【０１３９】
ステップＳ７００では、抑制運転制御部２１が、給気相対湿度RH_saが室内設定湿度である室内設定相対湿度RH_set以下であるか否かを判定する。ステップＳ７００において給気相対湿度RH_saが室内設定相対湿度RH_set以下であると判定された場合は、ステップＳ７００においてＹｅｓとなり、ステップＳ６６０に進む。ステップＳ７００において給気相対湿度RH_saが室内設定相対湿度RH_setより大であると判定された場合は、ステップＳ７００においてＮｏとなり、ステップＳ６１０に戻る。
【０１４０】
なお、ステップＳ７００における室内設定相対湿度RH_setは、ステップＳ６５０における室内設定相対湿度RH_setと異なる値であってもよい。
【０１４１】
ステップＳ７１０では、抑制運転制御部２１が、給気絶対湿度AH_saが室内設定湿度である室内設定絶対湿度AH_set以下であるか否かを判定する。ステップＳ７１０において給気絶対湿度AH_saが室内設定絶対湿度AH_set以下であると判定された場合は、ステップＳ７１０においてＹｅｓとなり、ステップＳ６６０に進む。
【０１４２】
ステップＳ７１０において給気絶対湿度AH_saが室内設定絶対湿度AH_setより大であると判定された場合は、ステップＳ７１０においてＮｏとなり、ステップＳ６１０に戻る。
【０１４３】
温度調整コイル５の現在の運転モードが冷房運転である場合にステップＳ７００およびステップＳ７１０で用いる室内設定湿度は、第２室内設定湿度である。なお、ステップＳ７１０における室内設定絶対湿度AH_setは、ステップＳ６７０における室内設定絶対湿度AH_setと異なる値であってもよい。
【０１４４】
上述したように、実施の形態３では、吹出温度抑制運転の実施の可否の判定を、室内設定湿度である室内設定相対湿度RH_setと給気相対湿度RH_saを比較することにより、または室内設定湿度である室内設定絶対湿度AH_setと給気絶対湿度AH_saを比較することにより、判定する。
【０１４５】
このような処理を行うことにより、抑制運転制御部２１は、熱交換型換気装置１００の暖房運転時においては温度調整コイル５を通過した給気空気の湿度である給気湿度が室内設定湿度以上のときのみに、吹出温度抑制運転を実施するように制御することができる。これにより、熱交換型換気装置１００では、室内の快適性を維持させるために、室内湿度が良好な状態である場合にのみ給気空気の吹出温度を抑制することができ、給気空気の吹出温度の抑制により室内空気の湿度環境が不快な状態になることがない。
【０１４６】
また、抑制運転制御部２１は、熱交換型換気装置１００の冷房運転時においては、給気湿度が室内設定湿度以下のときのみに、吹出温度抑制運転を実施するように制御することができる。これにより、熱交換型換気装置１００では、室内の快適性を維持させるために、室内湿度が良好な状態である場合にのみ給気空気の吹出温度を抑制することができ、給気空気の吹出温度の抑制により室内空気の湿度環境が不快な状態になることがない。
【０１４７】
したがって、実施の形態３では、室内空気の湿度環境を考慮して、給気空気の吹出温度を抑制可能であり、吹出温度抑制運転に起因して室内空気の湿度環境が不快な状態になることを抑制できる。
【０１４８】
実施の形態４．
図１０は、本発明の実施の形態４にかかる熱交換型換気装置１１０の内部構成の概略を示す模式平面図である。図１１は、本発明の実施の形態４における熱交換型換気装置１１０の運転に関わる機能構成を示す図である。
【０１４９】
本実施の形態４にかかる熱交換型換気装置１１０は、上述した実施の形態１から実施の形態３にかかる熱交換型換気装置１００の構成に加えて、室内空気の温度および室内空気の湿度を測定可能な室内温湿度測定部１２を備える。室内温湿度測定部１２は、熱交換排気風路１ｂとバイパス排気風路１ｄとの共通部分における全熱交換器４よりも上流側の位置に設けられる。すなわち、室内温湿度測定部１２は、排気風路における全熱交換器４よりも上流側の位置に設けられている。
【０１５０】
給気温湿度測定部１６により測定された給気温度T_saおよび給気相対湿度RH_saと、室内温湿度測定部１２により測定された室内空気の温度である室内温度T_raおよび室内空気の湿度である室内相対湿度RH_raと、リモートコントローラ１５より入力された情報とは、入力インターフェース１８を介して抑制運転制御部２１に送られる。また、抑制運転制御部２１から送信される制御信号は、出力インターフェース１９を介して、送風部１７と、温度調整コイル５と、ダンパ１３に送信される。送風部１７と温度調整コイル５とダンパ１３とは、受信した制御信号に従って、送風部１７の出力、温度調整コイル５の出力、またはダンパ１３の開閉動作を変更する。
【０１５１】
図１２は、本発明の実施の形態４にかかる熱交換型換気装置１１０の吹出温度抑制運転の手順を示すフローチャートである。以下において説明する本実施の形態４では、上述した実施の形態３の場合と同様に、吹出温度抑制運転の実施の可否の判定を湿度に基づいて行った結果に基づいて、吹出温度抑制運転を実施する。吹出温度抑制運転における吹出温度抑制制御は、上述した実施の形態１および実施の形態２のいずれか一方と同一である。
【０１５２】
実施の形態３では、抑制運転制御部２１は、室内設定湿度と給気湿度とを比較して吹出温度抑制運転の実施の可否を判定した。実施の形態４では、室内設定湿度ではなく、室内温湿度測定部１２における測定結果により得られる室内湿度である室内相対湿度RH_raまたは室内絶対湿度AH_raと、給気湿度とを比較することで吹出温度抑制運転の実施の可否を判定する。
【０１５３】
まず、ステップＳ８１０において、給気温湿度測定部１６が、予め決められた測定周期で給気温度T_saと、給気相対湿度RH_saと、を測定する。給気温湿度測定部１６は、測定された給気温度T_saの情報と、給気相対湿度RH_saの情報と、を抑制運転制御部２１に送信する。ステップＳ８１０の後、ステップＳ８２０に進む。
【０１５４】
ステップＳ８２０では、室内温湿度測定部１２が、予め決められた測定周期で室内温度T_raと、室内相対湿度RH_raと、を測定する。室内温湿度測定部１２は、測定された室内温度T_raの情報と、室内相対湿度RH_raの情報と、を抑制運転制御部２１に送信する。ステップＳ８２０の後、ステップＳ８３０に進む。
【０１５５】
ステップＳ８３０では、抑制運転制御部２１が、給気温度T_saと給気相対湿度RH_saとにより、給気絶対湿度AH_saを算出する。なお、給気温湿度測定部１６において、直接、絶対湿度を測定可能な場合は、給気絶対湿度AH_saの算出を省略してもよい。また、抑制運転制御部２１が、室内温度T_raと室内相対湿度RH_raとにより、室内絶対湿度AH_raを算出する。なお、室内温湿度測定部１２において、直接、室内絶対湿度AH_raを測定可能な場合は、室内絶対湿度AH_raの算出を省略してもよい。ステップＳ８３０の後、ステップＳ８４０に進む。
【０１５６】
給気絶対湿度AH_saは、上記の数式（４）により算出される。室内絶対湿度AH_raは、下記の数式（６）により算出される。
【０１５７】
【数６】
2021028964.tif 000008
【０１５８】
また、上記の数式（６）において、βは以下の数式（７）であらわされる。
【０１５９】
【数７】
2021028964.tif 000009
【０１６０】
ステップＳ８４０では、抑制運転制御部２１が、熱交換型換気装置１１０の現在の運転モードが暖房運転であるか否かを判定する。ステップＳ８４０で、運転モードが暖房運転であると判定された場合は、ステップＳ８４０においてＹｅｓとなり、ステップＳ８５０に進む。ステップＳ８４０において運転モードが暖房運転ではないと判定された場合は、ステップＳ８４０においてＮｏとなり、ステップＳ８９０に進む。
【０１６１】
ステップＳ８５０では、抑制運転制御部２１が、吹出温度抑制運転の実施の可否を給気相対湿度RH_saと室内相対湿度RH_raとを用いて判定する相対湿度判定を実施するか否かを判定する。ステップＳ８５０において相対湿度判定を実施すると判定された場合は、ステップＳ８５０においてＹｅｓとなり、ステップＳ８６０に進む。ステップＳ８５０において相対湿度判定を実施しないと判定された場合は、ステップＳ８５０においてＮｏとなり、ステップＳ８８０に進む。
【０１６２】
ステップＳ８６０では、抑制運転制御部２１が、給気相対湿度RH_saが室内相対湿度RH_ra以上であるか否かを判定する。ステップＳ８６０で、給気相対湿度RH_saが室内相対湿度RH_ra以上であると判定された場合は、ステップＳ８６０においてＹｅｓとなり、ステップＳ８７０に進む。ステップＳ８６０において給気相対湿度RH_saが室内相対湿度RH_ra未満であると判定された場合は、ステップＳ８６０においてＮｏとなり、ステップＳ８１０に戻る。
【０１６３】
ステップＳ８７０では、熱交換型換気装置１１０は、吹出温度抑制運転に移行する。すなわち、抑制運転制御部２１が、吹出温度抑制運転の制御を開始する。吹出温度抑制運転および吹出温度抑制制御は、上述した実施の形態１または実施の形態２の場合と同一であり、図６のステップＳ３１０または図７のステップＳ５１０に進む。
【０１６４】
ステップＳ８８０では、抑制運転制御部２１が、給気絶対湿度AH_saが室内絶対湿度AH_ra以上であるか否かを判定する。ステップＳ８８０において給気絶対湿度AH_saが室内絶対湿度AH_ra以上であると判定された場合は、ステップＳ８８０においてＹｅｓとなり、ステップＳ８７０に進む。ステップＳ８８０において給気絶対湿度AH_saが室内絶対湿度AH_ra未満であると判定された場合は、ステップＳ８８０においてＮｏとなり、ステップＳ８１０に戻る。
【０１６５】
抑制運転制御部２１が、相対湿度判定を実施するか、または、吹出温度抑制運転の実施の可否を給気絶対湿度AH_saと室内絶対湿度AH_raとを用いて判定する絶対湿度判定を実施するか、を判定するための判定情報は、リモートコントローラ１５から入力インターフェース１８を介して抑制運転制御部２１に送られ、抑制運転制御部２１に設定されて記憶されている。判定情報は、リモートコントローラ１５から入力インターフェース１８を介して任意に変更することができる。
【０１６６】
また、給気温湿度測定部１６および室内温湿度測定部１２の測定結果は、本実施の形態４にかかる吹出温度抑制運転に依らない熱交換型換気装置１１０の他の制御で給気温湿度測定部１６および室内温湿度測定部１２の測定結果を用いている場合には、他の制御で用いている測定結果を流用してもよい。
【０１６７】
ステップＳ８９０では、抑制運転制御部２１が、熱交換型換気装置１１０の現在の運転モードが冷房運転であるか否かを判定する。ステップＳ８９０において運転モードが冷房運転であると判定された場合は、ステップＳ８９０においてＹｅｓとなり、ステップＳ９００に進む。ステップＳ８９０において運転モードが冷房運転ではないと判定された場合は、ステップＳ８９０においてＮｏとなり、ステップＳ８１０に戻る。
【０１６８】
ステップＳ９００では、抑制運転制御部２１が、吹出温度抑制運転の実施の可否を給気相対湿度RH_saと室内相対湿度RH_raとを用いて判定する相対湿度判定を実施するか否かを判定する。ステップＳ９００において相対湿度判定を実施すると判定された場合は、ステップＳ９００においてＹｅｓとなり、ステップＳ９１０に進む。ステップＳ９００において相対湿度判定を実施しないと判定された場合は、ステップＳ９００においてＮｏとなり、ステップＳ９２０に進む。
【０１６９】
ステップＳ９１０では、抑制運転制御部２１が、給気相対湿度RH_saが室内相対湿度RH_ra以下であるか否かを判定する。ステップＳ９１０で、給気相対湿度RH_saが室内相対湿度RH_ra以下であると判定された場合は、ステップＳ９１０においてＹｅｓとなり、ステップＳ８７０に進む。ステップＳ９１０において給気相対湿度RH_saが室内相対湿度RH_raより大であると判定された場合は、ステップＳ９１０においてＮｏとなり、ステップＳ８１０に戻る。
【０１７０】
ステップＳ９２０では、抑制運転制御部２１が、給気絶対湿度AH_saが室内絶対湿度AH_ra以下であるか否かを判定する。ステップＳ９２０で、給気絶対湿度AH_saが室内絶対湿度AH_ra以下であると判定された場合は、ステップＳ９２０においてＹｅｓとなり、ステップＳ８７０に進む。ステップＳ９２０で、給気絶対湿度AH_saが室内絶対湿度AH_raより大であると判定された場合は、ステップＳ９２０においてＮｏとなり、ステップＳ８１０に戻る。
【０１７１】
上述したように、実施の形態４では、吹出温度抑制運転の実施の可否の判定を、室内空気の湿度である室内相対湿度RH_raとケーシング１ａから吹き出される給気空気の湿度である給気相対湿度RH_saとを比較することにより、または室内空気の湿度である室内絶対湿度AH_raとケーシング１ａから吹き出される給気空気の湿度である給気絶対湿度AH_saとを比較することにより、判定する。
【０１７２】
このような処理を行うことにより、抑制運転制御部２１は、熱交換型換気装置１１０の暖房運転時においては給気湿度が室内湿度以上のときのみに、吹出温度抑制運転を実施するように制御することができる。これにより、熱交換型換気装置１１０では、室内の快適性を維持させるために、室内湿度が良好な状態である場合にのみ給気空気の吹出温度を抑制することができ、給気空気の吹出温度の抑制により室内空気の湿度環境が不快な状態になることがない。
【０１７３】
また、抑制運転制御部２１は、熱交換型換気装置１１０の冷房運転時においては、給気湿度が室内湿度以下のときのみに、吹出温度抑制運転を実施するように制御することができる。これにより、熱交換型換気装置１１０では、室内の快適性を維持させるために、室内湿度が良好な状態である場合にのみ給気空気の吹出温度を抑制することができ、給気空気の吹出温度の抑制により室内空気の湿度環境が不快な状態になることがない。
【０１７４】
したがって、実施の形態４では、室内空気の湿度環境を考慮して、給気空気の吹出温度を抑制可能であり、吹出温度抑制運転に起因して室内空気の湿度環境が不快な状態になることを抑制できる。
【０１７５】
なお、上述した実施の形態３に示した制御と、実施の形態４に示した制御とを組み合わせて実行することも可能である。
【０１７６】
実施の形態５．
図１３は、本発明の実施の形態５における熱交換型換気装置１１０の運転に関わる機能構成を示す図である。本実施の形態５における吹出温度抑制運転では、制御部２０が室内設定湿度を記憶しており、実施の形態１または実施の形態２において示した吹出温度抑制運転を実施する前に、吹出温度抑制運転の実施の可否の判定を室内空気の湿度に基づいて行う。本実施の形態５では、室内温湿度測定部１２における測定結果により得られる室内湿度である室内相対湿度RH_raまたは室内絶対湿度AH_raと、室内設定湿度とを比較することで吹出温度抑制運転の実施の可否を判定する。
【０１７７】
室内設定湿度は、実施の形態３と同様に、室内空気の湿度の目標となる設定値であり、リモートコントローラ１５から入力インターフェース１８を介して制御部２０に送られ、制御部２０の制御によって記憶部２３の室内設定湿度記憶部２６に設定されて記憶される。室内設定湿度は、相対湿度の設定湿度である室内設定相対湿度RH_setまたは絶対湿度の設定湿度である室内設定絶対湿度AH_setによって設定することが可能である。室内設定湿度は、リモートコントローラ１５から入力インターフェース１８を介して任意の値に変更することができる。また、室内設定湿度は、本実施の形態５にかかる吹出温度抑制運転に依らない熱交換型換気装置１１０の他の制御で室内設定湿度を用いている場合には、他の制御で設定されている室内設定湿度を流用してもよい。
【０１７８】
図１４は、本発明の実施の形態５における熱交換型換気装置１１０の吹出温度抑制運転の手順を示すフローチャートである。以下において説明する本実施の形態５における熱交換型換気装置１１０の吹出温度抑制運転の制御では、吹出温度抑制運転の実施の可否の判定を室内空気の湿度に基づいて行った結果に基づいて、吹出温度抑制運転を実施する。吹出温度抑制運転における吹出温度抑制制御は、上述した実施の形態１および実施の形態２のいずれか一方と同一である。
【０１７９】
まず、ステップＳ１０１０において、室内温湿度測定部１２が、予め決められた測定周期で室内温度T_raと、室内相対湿度RH_raと、を測定する。室内温湿度測定部１２は、測定された室内温度T_raの情報と、室内相対湿度RH_raの情報と、を抑制運転制御部２１に送信する。ステップＳ１０１０の後、ステップＳ１０２０に進む。室内温湿度測定部１２の測定結果は、本実施の形態５にかかる吹出温度抑制運転に依らない熱交換型換気装置１１０の他の制御で室内温湿度測定部１２の測定結果を用いている場合には、他の制御で用いている測定結果を流用してもよい。
【０１８０】
ステップＳ１０２０では、抑制運転制御部２１が、室内温度T_raと室内相対湿度RH_raとにより、室内絶対湿度AH_raを算出する。なお、室内温湿度測定部１２において、直接、室内絶対湿度AH_raを測定可能な場合は、室内絶対湿度AH_raの算出を省略してもよい。ステップＳ１０２０の後、ステップＳ１０３０に進む。
【０１８１】
室内絶対湿度AH_raは、上記の数式（６）により算出される。
【０１８２】
ステップＳ１０３０では、抑制運転制御部２１が、温度調整コイル５の現在の運転モードが暖房運転であるか否かを判定する。ステップＳ１０３０において運転モードが暖房運転であると判定された場合は、ステップＳ１０３０においてＹｅｓとなり、ステップＳ１０４０に進む。ステップＳ１０３０において運転モードが暖房運転ではないと判定された場合は、ステップＳ１０３０においてＮｏとなり、ステップＳ１０８０に進む。
【０１８３】
ステップＳ１０４０では、抑制運転制御部２１が、吹出温度抑制運転の実施の可否を室内相対湿度RH_raを用いて判定する相対湿度判定を、実施するか否かを判定する。ステップＳ１０４０において相対湿度判定を実施すると判定された場合は、ステップＳ１０４０においてＹｅｓとなり、ステップＳ１０５０に進む。ステップＳ１０４０において相対湿度判定を実施しないと判定された場合は、ステップＳ１０４０においてＮｏとなり、ステップＳ１０７０に進む。
【０１８４】
抑制運転制御部２１が、吹出温度抑制運転の実施の可否を室内相対湿度RH_raを用いて判定する相対湿度判定を実施するか、または、吹出温度抑制運転の実施の可否を室内絶対湿度AH_raを用いて判定する絶対湿度判定を実施するか、を判定するための判定情報は、リモートコントローラ１５から入力インターフェース１８を介して抑制運転制御部２１に送られ、抑制運転制御部２１に設定されて記憶されている。判定情報は、リモートコントローラ１５から入力インターフェース１８を介して任意に変更することができる。
【０１８５】
ステップＳ１０５０では、抑制運転制御部２１が、室内相対湿度RH_raが室内設定湿度である室内設定相対湿度RH_set以上であるか否かを判定する。ステップＳ１０５０において室内相対湿度RH_raが室内設定相対湿度RH_set以上であると判定された場合は、ステップＳ１０５０においてＹｅｓとなり、ステップＳ１０６０に進む。ステップＳ１０５０において室内相対湿度RH_raが室内設定相対湿度RH_set未満であると判定された場合は、ステップＳ１０５０においてＮｏとなり、ステップＳ１０１０に戻る。
【０１８６】
ステップＳ１０６０では、熱交換型換気装置１１０は、吹出温度抑制運転に移行する。すなわち、抑制運転制御部２１が、吹出温度抑制運転の制御を開始する。吹出温度抑制運転および吹出温度抑制制御は、上述した実施の形態１または実施の形態２の場合と同一であり、図６のステップＳ３１０または図７のステップＳ５１０に進む。
【０１８７】
ステップＳ１０７０では、抑制運転制御部２１が、室内絶対湿度AH_raが室内設定湿度である室内設定絶対湿度AH_set以上であるか否かを判定する。ステップＳ１０７０で、室内絶対湿度AH_raが室内設定絶対湿度AH_set以上であると判定された場合は、ステップＳ１０７０においてＹｅｓとなり、ステップＳ１０６０に進む。ステップＳ１０７０において室内絶対湿度AH_raが室内設定絶対湿度AH_set未満であると判定された場合は、ステップＳ１０７０においてＮｏとなり、ステップＳ１０１０に戻る。
【０１８８】
温度調整コイル５の現在の運転モードが暖房運転である場合にステップＳ１０５０およびステップＳ１０７０で用いる室内設定湿度は、第３室内設定湿度である。
【０１８９】
ステップＳ１０８０では、抑制運転制御部２１が、温度調整コイル５の現在の運転モードが冷房運転であるか否かを判定する。ステップＳ１０８０において運転モードが冷房運転であると判定された場合は、ステップＳ１０８０においてＹｅｓとなり、ステップＳ１０９０に進む。ステップＳ１０８０において運転モードが冷房運転ではないと判定された場合は、ステップＳ１０８０においてＮｏとなり、ステップＳ１０１０に戻る。
【０１９０】
ステップＳ１０９０では、抑制運転制御部２１が、吹出温度抑制運転の実施の可否を室内相対湿度RH_raで判定する相対湿度判定を実施するか否かを判定する。ステップＳ１０９０において相対湿度判定を実施すると判定された場合は、ステップＳ１０９０においてＹｅｓとなり、ステップＳ１１００に進む。ステップＳ１０９０において相対湿度判定を実施しないと判定された場合は、ステップＳ１０９０においてＮｏとなり、ステップＳ１１１０に進む。
【０１９１】
ステップＳ１１００では、抑制運転制御部２１が、室内相対湿度RH_raが室内設定湿度である室内設定相対湿度RH_set以下であるか否かを判定する。ステップＳ１１００において室内相対湿度RH_raが室内設定相対湿度RH_set以下であると判定された場合は、ステップＳ１１００においてＹｅｓとなり、ステップＳ１０６０に進む。ステップＳ１１００において室内相対湿度RH_raが室内設定相対湿度RH_setより大であると判定された場合は、ステップＳ１１００においてＮｏとなり、ステップＳ１０１０に戻る。
【０１９２】
なお、ステップＳ１１００における室内設定相対湿度RH_setは、ステップＳ１０５０における室内設定相対湿度RH_setと異なる値であってもよい。
【０１９３】
ステップＳ１１１０では、抑制運転制御部２１が、室内絶対湿度AH_raが室内設定湿度である室内設定絶対湿度AH_set以下であるか否かを判定する。ステップＳ１１１０において室内絶対湿度AH_raが室内設定絶対湿度AH_set以下であると判定された場合は、ステップＳ１１１０においてＹｅｓとなり、ステップＳ１０６０に進む。
【０１９４】
ステップＳ１１１０において室内絶対湿度AH_raが室内設定絶対湿度AH_setより大であると判定された場合は、ステップＳ１１１０においてＮｏとなり、ステップＳ１０１０に戻る。
【０１９５】
温度調整コイル５の現在の運転モードが冷房運転である場合にステップＳ１１００およびステップＳ１１１０で用いる室内設定湿度は、第４室内設定湿度である。なお、ステップＳ１１１０における室内設定絶対湿度AH_setは、ステップＳ１０７０における室内設定絶対湿度AH_setと異なる値であってもよい。
【０１９６】
上述したように、本実施の形態５では、吹出温度抑制運転の実施の可否の判定を、室内設定湿度である室内設定相対湿度RH_setと室内相対湿度RH_raを比較することにより、または室内設定湿度である室内設定絶対湿度AH_setと室内絶対湿度AH_raを比較することにより、判定する。
【０１９７】
このような処理を行うことにより、抑制運転制御部２１は、熱交換型換気装置１１０の暖房運転時においては室内空気の湿度である室内湿度が室内設定湿度以上のときのみに、吹出温度抑制運転を実施するように制御することができる。これにより、熱交換型換気装置１１０では、室内の快適性を維持させるために、室内湿度が良好な状態である場合にのみ給気空気の吹出温度を抑制することができ、給気空気の吹出温度の抑制により室内空気の湿度環境が不快な状態になることがない。
【０１９８】
また、抑制運転制御部２１は、熱交換型換気装置１１０の冷房運転時においては、室内湿度が室内設定湿度以下のときのみに、吹出温度抑制運転を実施するように制御することができる。これにより、熱交換型換気装置１１０では、室内の快適性を維持させるために、室内湿度が良好な状態である場合にのみ給気空気の吹出温度を抑制することができ、給気空気の吹出温度の抑制により室内空気の湿度環境が不快な状態になることがない。
【０１９９】
したがって、実施の形態５では、室内空気の湿度環境を考慮して、給気空気の吹出温度を抑制可能であり、吹出温度抑制運転に起因して室内空気の湿度環境が不快な状態になることを抑制できる。
【０２００】
なお、上述した実施の形態３に示した制御と、実施の形態４に示した制御と、実施の形態５に示した制御と、を組み合わせて実行することも可能である。
【０２０１】
続いて、本発明の実施の形態１にかかる制御部２０のハードウェア構成について説明する。制御部２０の各部の機能は、処理回路により実現される。これらの処理回路は、専用のハードウェアにより実現されてもよいし、ＣＰＵ（Central  Processing  Unit）を用いた制御回路であってもよい。
【０２０２】
上記の処理回路が、専用のハードウェアにより実現される場合、これらは、図１５に示す処理回路２００により実現される。図１５は、本発明の実施の形態１にかかる制御部２０の機能を実現するための専用のハードウェアを示す図である。処理回路２００は、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものである。
【０２０３】
上記の処理回路が、ＣＰＵを用いた制御回路で実現される場合、この制御回路は例えば図１６に示す構成の制御回路２０１である。図１６は、本発明の実施の形態１にかかる制御部２０の機能を実現するための制御回路２０１の構成を示す図である。図１６に示すように、制御回路２０１は、プロセッサ２０２と、メモリ２０３とを備える。プロセッサ２０２は、ＣＰＵであり、中央処理装置、処理装置、演算装置、マイクロプロセッサ、マイクロコンピュータ、ＤＳＰ（Digital  Signal  Processor）などとも呼ばれる。メモリ２０３は、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの不揮発性または揮発性の半導体メモリ、磁気ディスク、フレキシブルディスク、光ディスク、コンパクトディスク、ミニディスク、ＤＶＤ（Digital  Versatile  Disk）などである。
【０２０４】
上記の処理回路が制御回路２０１により実現される場合、プロセッサ２０２がメモリ２０３に記憶された、各構成要素の処理に対応するプログラムを読み出して実行することにより実現される。また、メモリ２０３は、プロセッサ２０２が実行する各処理における一時メモリとしても使用される。
【０２０５】
以上の実施の形態に示した構成は、本発明の内容の一例を示すものであり、実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０２０６】
１  本体、１ａ  ケーシング、１ｂ  熱交換排気風路、１ｃ  給気風路、１ｄ  バイパス排気風路、２  排気用送風機、３  給気用送風機、４  全熱交換器、５  温度調整コイル、６  加湿器、７  排気吹出口、８  給気吹出口、９  給気吸込口、１０  排気吸込口、１２  室内温湿度測定部、１３  ダンパ、１４  制御装置、１５  リモートコントローラ、１６  給気温湿度測定部、１７  送風部、１８  入力インターフェース、１９  出力インターフェース、２０  制御部、２１  抑制運転制御部、２２  タイマー部、２３  記憶部、２４  上限吹出温度記憶部、２５  下限吹出温度記憶部、２６  室内設定湿度記憶部、１００，１１０  熱交換型換気装置、２００  処理回路、２０１  制御回路、２０２  プロセッサ、２０３  メモリ。
【図１】
2021028964.tif 000010
【図２】
2021028964.tif 000011
【図３】
2021028964.tif 000012
【図４】
2021028964.tif 000013
【図５】
2021028964.tif 000014
【図６】
2021028964.tif 000015
【図７】
2021028964.tif 000016
【図８】
2021028964.tif 000017
【図９】
2021028964.tif 000018
【図１０】
2021028964.tif 000019
【図１１】
2021028964.tif 000020
【図１２】
2021028964.tif 000021
【図１３】
2021028964.tif 000022
【図１４】
2021028964.tif 000023
【図１５】
2021028964.tif 000024
【図１６】
2021028964.tif 000025
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
室内空気を室外に排気する排気風路と、室外空気を室内に給気する給気風路と、が独立して内部に形成されたケーシングと、
前記排気風路を流れる排気流を発生させる排気用送風機と、前記給気風路を流れる給気流を発生させる給気用送風機と、を有する送風部と、
前記給気流と前記排気流との間で熱交換させる熱交換器と、
前記給気風路における前記熱交換器よりも下流側に設けられて前記給気風路を通過する前記室外空気である給気空気を加熱または冷却する温度調整コイルと、
前記給気風路における前記温度調整コイルよりも下流側に設けられて前記温度調整コイルを通過した前記給気空気の温度である給気温度を測定する給気温度測定部と、
前記送風部と前記温度調整コイルとの動作を制御する制御部と、
を備え、
前記制御部は、
前記ケーシングから吹き出される前記給気空気の吹出温度の下限を規定する下限吹出温度および前記ケーシングから吹き出される前記給気空気の吹出温度の上限を規定する上限吹出温度と、前記給気温度と、の比較結果に基づいて、前記吹出温度を抑制するように前記送風部と前記温度調整コイルとのうち少なくとも１つの動作を制御して換気を行う吹出温度抑制制御を行い、
前記温度調整コイルの暖房運転時に前記上限吹出温度と前記給気温度とを比較し、前記上限吹出温度に前記給気温度が近いほど前記温度調整コイルの加熱量を少なくし、
前記温度調整コイルの冷房運転時に前記下限吹出温度と前記給気温度とを比較し、前記下限吹出温度に前記給気温度が近いほど前記温度調整コイルの冷却量を少なくすること、
を特徴とする熱交換型換気装置。
【請求項２】
前記制御部は、
前記温度調整コイルの暖房運転時には、前記吹出温度抑制制御を行う直前よりも前記温度調整コイルの加熱量を減少させる制御を行い、
前記温度調整コイルの冷房運転時には、前記吹出温度抑制制御を行う直前よりも前記温度調整コイルの冷却量を減少させる制御を行うこと、
を特徴とする請求項１に記載の熱交換型換気装置。
【請求項３】
前記制御部は、前記吹出温度抑制制御を行う直前よりも前記送風部の風量を増減させる制御を行うこと、
を特徴とする請求項１または２に記載の熱交換型換気装置。
【請求項４】
前記ケーシングの内部に形成され、前記熱交換器を迂回して前記排気流を室外に排気するバイパス排気風路と、
前記排気風路に設けられ、前記バイパス排気風路を開放する位置と、前記バイパス排気風路を閉塞する位置と、に移動可能なダンパと、
を備え、
前記制御部は、前記バイパス排気風路を開放する位置と、前記バイパス排気風路を閉塞する位置とのいずれかの位置に前記ダンパを移動させる制御を行うこと、
を特徴とする請求項１から３のいずれか１つに記載の熱交換型換気装置。
【請求項５】
前記制御部は、前記上限吹出温度または前記下限吹出温度に対する前記給気温度の割合に基づいて、前記温度調整コイルの加熱量または冷却量を複数段階に制御すること、
を特徴とする請求項１に記載の熱交換型換気装置。
【請求項６】
前記制御部は、前記上限吹出温度または前記下限吹出温度に対する前記給気温度の割合に基づいて、前記送風部の風量を複数段階に制御すること、
を特徴とする請求項１から５のいずれか１つに記載の熱交換型換気装置。
【請求項７】
前記給気風路における前記温度調整コイルよりも下流側に設けられて前記温度調整コイルを通過した前記給気空気を加湿する加湿器と、
前記排気風路における前記熱交換器よりも上流側に設けられて前記排気風路を通過する室内空気の温度および湿度を測定する室内温湿度測定部を備え、
前記制御部は、前記室内温湿度測定部により測定された温度および湿度に基づいて前記室内の空気環境の露点温度を算出し、前記給気温度が露点以下とならないように、前記送風部と前記温度調整コイルと前記ダンパとのうち少なくとも１つの動作を制御すること、
を特徴とする請求項４に記載の熱交換型換気装置。
【請求項８】
前記給気風路における前記温度調整コイルよりも下流側に設けられて前記温度調整コイルを通過した前記給気空気の湿度である給気湿度を測定する給気湿度測定部と、
前記排気風路における前記熱交換器よりも上流側に設けられて前記排気風路を通過する前記室内空気の湿度を測定する室内湿度測定部と、
を備え、
前記制御部は、前記温度調整コイルの暖房運転時に、前記室内湿度測定部における測定結果により得られる前記室内空気の湿度である室内湿度と、前記給気湿度とを比較し、前記給気湿度が前記室内湿度以上である場合に前記吹出温度抑制制御に移行すること、
を特徴とする請求項１から７のいずれか１つに記載の熱交換型換気装置。
【請求項９】
前記給気風路における前記温度調整コイルよりも下流側に設けられて前記温度調整コイルを通過した前記給気空気の湿度である給気湿度を測定する給気湿度測定部と、
前記排気風路における前記熱交換器よりも上流側に設けられて前記排気風路を通過する前記室内空気の湿度を測定する室内湿度測定部と、
を備え、
前記制御部は、前記温度調整コイルの冷房運転時に、前記室内湿度測定部における測定結果により得られる前記室内空気の湿度である室内湿度と、前記給気湿度とを比較し、前記給気湿度が前記室内湿度以下である場合に前記吹出温度抑制制御に移行すること、
を特徴とする請求項１から８のいずれか１つに記載の熱交換型換気装置。
【請求項１０】
前記給気風路における前記温度調整コイルよりも下流側に設けられて前記温度調整コイルを通過した前記給気空気の湿度を測定する給気湿度測定部を備え、
前記制御部は、前記温度調整コイルの暖房運転時に、前記給気湿度測定部における測定結果により得られる前記温度調整コイルを通過した前記給気空気の湿度である給気湿度と、前記制御部に予め設定された前記室内空気の湿度の目標値である第１室内設定湿度とを比較し、前記給気湿度が前記第１室内設定湿度以上である場合に前記吹出温度抑制制御に移行すること、
を特徴とする請求項１から９のいずれか１つに記載の熱交換型換気装置。
【請求項１１】
前記給気風路における前記温度調整コイルよりも下流側に設けられて前記温度調整コイルを通過した前記給気空気の湿度を測定する給気湿度測定部を備え、
前記制御部は、前記温度調整コイルの冷房運転時に、前記給気湿度測定部における測定結果により得られる前記温度調整コイルを通過した前記給気空気の湿度である給気湿度と、前記制御部に予め設定された前記室内空気の湿度の目標値である第２室内設定湿度とを比較し、前記給気湿度が前記第２室内設定湿度以下である場合に前記吹出温度抑制制御に移行すること、
を特徴とする請求項１から１０のいずれか１つに記載の熱交換型換気装置。
【請求項１２】
前記排気風路における前記熱交換器よりも上流側に設けられて前記排気風路を通過する前記室内空気の湿度を測定する室内湿度測定部を備え、
前記制御部は、前記温度調整コイルの暖房運転時に、前記室内湿度測定部における測定結果により得られる前記室内空気の湿度である室内湿度と、前記制御部に予め設定された前記室内空気の湿度の目標値である第３室内設定湿度とを比較し、前記室内湿度が前記第３室内設定湿度以上である場合に前記吹出温度抑制制御に移行すること、
を特徴とする請求項１から１１のいずれか１つに記載の熱交換型換気装置。
【請求項１３】
前記排気風路における前記熱交換器よりも上流側に設けられて前記排気風路を通過する前記室内空気の湿度を測定する室内湿度測定部を備え、
前記制御部は、前記温度調整コイルの冷房運転時に、前記室内湿度測定部における測定結果により得られる前記室内空気の湿度である室内湿度と、前記制御部に予め設定された前記室内空気の湿度の目標値である第４室内設定湿度とを比較し、前記室内湿度が前記第４室内設定湿度以下である場合に前記吹出温度抑制制御に移行すること、
を特徴とする請求項１から１２のいずれか１つに記載の熱交換型換気装置。
【請求項１４】
前記制御部は、前記温度調整コイルがサーモオンであるときに、前記給気温度が前記上限吹出温度より大である時間または前記下限吹出温度未満となる時間が予め決められた第１既定時間以上経過した場合に、前記温度調整コイルをサーモオフにする制御を行うこと、
を特徴とする請求項１から１３のいずれか１つに記載の熱交換型換気装置。
【請求項１５】
前記制御部は、前記給気温度が前記上限吹出温度より大である時間または前記下限吹出温度未満となる時間が予め決められた第１既定時間を超過した場合に前記温度調整コイルをサーモオフにした後、予め決められた第２既定時間以上経過した場合に前記温度調整コイルをサーモオンにする制御を行うこと、
を特徴とする請求項１４に記載の熱交換型換気装置。
【請求項１６】
前記制御部は、前記温度調整コイルがサーモオンであるときに、前記給気温度が前記上限吹出温度より大である時間または前記下限吹出温度未満となる時間が予め決められた第１既定時間以上経過するまで、前記温度調整コイルのサーモオンを継続させる制御を行うこと、
を特徴とする請求項１から１５のいずれか１つに記載の熱交換型換気装置。
【手続補正２】
【補正対象書類名】明細書
【補正対象項目名】０００７
【補正方法】変更
【補正の内容】
【０００７】
上述した課題を解決し、目的を達成するために、本発明にかかる熱交換型換気装置は、室内空気を室外に排気する排気風路と、室外空気を室内に給気する給気風路と、が独立して内部に形成されたケーシングと、排気風路を流れる排気流を発生させる排気用送風機と、給気風路を流れる給気流を発生させる給気用送風機と、を有する送風部と、給気流と排気流との間で熱交換させる熱交換器と、を備える。また、熱交換型換気装置は、給気風路における熱交換器よりも下流側に設けられて給気風路を通過する室外空気である給気空気を加熱または冷却する温度調整コイルと、給気風路における温度調整コイルよりも下流側に設けられて温度調整コイルを通過した給気空気の温度である給気温度を測定する給気温度測定部と、送風部と温度調整コイルとの動作を制御する制御部と、を備える。制御部は、ケーシングから吹き出される給気空気の吹出温度の下限を規定する下限吹出温度およびケーシングから吹き出される給気空気の吹出温度の上限を規定する上限吹出温度と、給気温度と、の比較結果に基づいて、吹出温度を抑制するように送風部と温度調整コイルとのうち少なくとも１つの動作を制御して換気を行う吹出温度抑制制御を行う。制御部は、温度調整コイルの暖房運転時に上限吹出温度と給気温度とを比較し、上限吹出温度に給気温度が近いほど温度調整コイルの加熱量を少なくし、温度調整コイルの冷房運転時に下限吹出温度と給気温度とを比較し、下限吹出温度に給気温度が近いほど温度調整コイルの冷却量を少なくする。
【手続補正３】
【補正対象書類名】明細書
【補正対象項目名】００４１
【補正方法】変更
【補正の内容】
【００４１】
ステップＳ１２０では、抑制運転制御部２１が、温度調整コイル５の現在の運転モードが暖房運転であるか否かを判定する。抑制運転制御部２１は、制御部２０から温度調整コイル５の制御モードの情報を取得し、温度調整コイル５の制御モードの情報に基づいて、現在の運転モードが暖房運転であるか否かを判定する。ステップＳ１２０において運転モードが暖房運転であると判定された場合は、ステップＳ１２０においてＹｅｓとなり、ステップＳ１３０に進む。ステップＳ１２０において運転モードが暖房運転ではないと判定された場合は、ステップＳ１２０においてＮｏとなり、ステップＳ１５０に進む。
【手続補正４】
【補正対象書類名】明細書
【補正対象項目名】００６１
【補正方法】変更
【補正の内容】
【００６１】
上記の処理を行うことにより、温度調整コイル５がサーモオンであるときに、給気温度が上限吹出温度Tlim_HIより大である時間または給気温度が下限吹出温度Tlim_LO未満となる時間が予め決められた既定時間以上経過した場合に、温度調整コイル５をサーモオフにする制御を行うことができる。また、ステップＳ２５０において温度調整コイル５をサーモオフにした後に再度ステップＳ２１０を実施する場合に、予め決められた第２既定時間以上経過した場合に温度調整コイル５をサーモオンにする制御を行うことができる。これにより、給気温湿度測定部１６で測定される給気温度T_saの測定値の変動に起因した、温度調整コイル５のサーモオンおよびサーモオフの切替がめまぐるしく行われること、すなわちサーモオンおよびサーモオフの切替のハンチングを防止して、制御の安定を図ることができる。
【手続補正５】
【補正対象書類名】明細書
【補正対象項目名】０１４４
【補正方法】変更
【補正の内容】
【０１４４】
上述したように、実施の形態３では、吹出温度抑制運転の実施の可否の判定を、室内設定湿度である室内設定相対湿度RH_setと給気相対湿度RH_saとを比較することにより、または室内設定湿度である室内設定絶対湿度AH_setと給気絶対湿度AH_saとを比較することにより、判定する。
【手続補正６】
【補正対象書類名】明細書
【補正対象項目名】０１９６
【補正方法】変更
【補正の内容】
【０１９６】
上述したように、本実施の形態５では、吹出温度抑制運転の実施の可否の判定を、室内設定湿度である室内設定相対湿度RH_setと室内相対湿度RH_raとを比較することにより、または室内設定湿度である室内設定絶対湿度AH_setと室内絶対湿度AH_raとを比較することにより、判定する。
【国際調査報告】
2021028964.tif 000026
2021028964.tif 000027
2021028964.tif 000028
2021028964.tif 000029